(57)【要約】  蓄電装置（１）であって、電極端子を有する蓄電素子（１００）と、外装体（１０）と、外部接続端子とを備え、外部接続端子は、外部の導電部材と接続される外部接続部と、回路遮断部と、電極端子または外部接続部と回路遮断部とを接続するバスバーであって、外装体（１０）にインサート成形されたバスバーとを備え、バスバーは、外装体（１０）の外側から回路遮断部を着脱可能なアウター露出部を有する。
2016199558.tif 000002
【特許請求の範囲】
【請求項１】
電極端子を有する蓄電素子と、
外装体と、
外部接続端子とを備え、
前記外部接続端子は、
外部の導電部材と接続される外部接続部と、
回路遮断部と、
前記電極端子または前記外部接続部と前記回路遮断部とを接続するバスバーであって、前記外装体にインサート成形されたバスバーとを備え、
前記バスバーは、前記外装体の外側から前記回路遮断部を着脱可能なアウター露出部を有する
蓄電装置。
【請求項２】
前記外装体は、前記外装体の外側に向けて開口して前記回路遮断部を収容する凹部を有し、
前記アウター露出部は、前記凹部の内面から露出している
請求項１に記載の蓄電装置。
【請求項３】
前記外装体は、前記凹部の開口を開閉可能に閉塞する蓋部を有し、前記蓋部は前記開口を閉じた時に前記アウター露出部を覆う
請求項２に記載の蓄電装置。
【請求項４】
前記バスバーは、前記凹部の凹みに応じて折り曲げられている
請求項２または３に記載の蓄電装置。
【請求項５】
前記蓄電装置はさらに、前記回路遮断部を前記アウター露出部に着脱自在に締結する締結部を備え、
前記締結部の一部は、前記外装体にインサート成形されている
請求項１〜４のいずれか１項に記載の蓄電装置。
【請求項６】
前記バスバーは、前記外部接続部と前記回路遮断部とを接続し、前記外部接続部と一体に形成されている
請求項１〜５のいずれか１項に記載の蓄電装置。
【請求項７】
前記バスバーは、前記外部接続部と前記回路遮断部とを接続する第一バスバーと、前記電極端子と前記回路遮断部とを接続する第二バスバーとを備える
請求項１〜６のいずれか１項に記載の蓄電装置。
【請求項８】
前記外装体は、前記蓄電素子を収容する本体と、当該本体の開口を覆い、前記バスバーがインサート成形された蓋体とを備え、
前記アウター露出部は、前記蓋体から露出する
請求項１〜７のいずれか１項に記載の蓄電装置。
【請求項９】
前記バスバーは、前記蓋体の上面視において前記アウター露出部からシフトした位置において前記外装体の内側に露出するインナー露出部と、前記外装体にインサート成形されて前記アウター露出部と前記インナー露出部とを接続する接続板部とを有する
請求項８に記載の蓄電装置。
【請求項１０】
前記バスバーは、前記電極端子に対向する位置で前記外装体にインサート成形されている
請求項１〜９のいずれか１項に記載の蓄電装置。
【請求項１１】
前記アウター露出部は、前記外装体の表面において、前記外部接続部を配置した位置と反対側に位置する
請求項１〜１０のいずれか１項に記載の蓄電装置。
【請求項１２】
前記バスバーの断面積は、前記外部接続部の断面積以上である
請求項１〜１１のいずれか１項に記載の蓄電装置。
【請求項１３】
前記バスバーは、
前記蓄電素子の電極端子と接続される端子接続部と、
前記外部接続部と前記端子接続部との間に配置され、前記外装体にインサート成形された第一インサート部とを有する
請求項１に記載の蓄電装置。
【請求項１４】
前記外部接続端子は、さらに、
前記外部接続部の前記第一インサート部とは異なる位置に接続され、前記外装体と係合する係合部を有する
請求項１３に記載の蓄電装置。
【請求項１５】
前記外部接続端子は、さらに、
前記外部接続部の前記第一インサート部とは異なる位置に接続され、前記外装体にインサート成形された第二インサート部を有する
請求項１３に記載の蓄電装置。
【請求項１６】
前記外部接続部は、前記第一インサート部から第一方向に延設される第一接続部と、前記第二インサート部から第二方向に延設される第二接続部とを有し、
前記第一接続部における前記第一方向と直交する第三方向と、前記第二接続部における前記第二方向と直交する第四方向とが異なる方向である
請求項１５に記載の蓄電装置。
【請求項１７】
前記外装体の外面と、前記外部接続部の当該外面に沿って延設される部分との間には、隙間が形成されている
請求項１３〜１６のいずれか１項に記載の蓄電装置。
【請求項１８】
前記外部接続部と前記端子接続部と前記第一インサート部とは、一体に形成されている
請求項１３〜１７のいずれか１項に記載の蓄電装置。
【発明の詳細な説明】
【技術分野】
【０００１】
本発明は、蓄電素子と、外装体と、外部接続端子とを備える蓄電装置に関する。
【背景技術】
【０００２】
蓄電素子を備える蓄電装置において、外部短絡等による過電流から当該蓄電素子を保護するヒューズを設ける構成が知られている（例えば、特許文献１参照）。
【先行技術文献】
【特許文献】
【０００３】
【特許文献１】特開２０１１−４９０１４号公報
【発明の概要】
【発明が解決しようとする課題】
【０００４】
しかし、特許文献１に記載の構成では、バスバーの絶縁について考慮されていない。また、特許文献１に記載の構成では、ヒューズを交換可能とするために、バスバーについて、構造が複雑となっている。【０００５】
本発明は、上記問題を解決するためになされたものであり、バスバーを絶縁構造かつ簡素な構造としつつも、ヒューズのような回路遮断部を交換することができる蓄電装置を提供することを目的とする。
【課題を解決するための手段】
【０００６】
上記目的を達成するために、本発明の一態様に係る蓄電装置は、電極端子を有する蓄電素子と、外装体と、外部接続端子とを備え、前記外部接続端子は、外部の導電部材と接続される外部接続部と、回路遮断部と、前記電極端子または前記外部接続部と前記回路遮断部とを接続するバスバーであって、前記外装体にインサート成形されたバスバーとを備え、前記バスバーは、前記外装体の外側から前記回路遮断部を着脱可能なアウター露出部を有する。
【発明の効果】
【０００７】
本発明によれば、バスバーを絶縁構造かつ簡素な構造としつつも、回路遮断部を交換することができる蓄電装置を提供することができる。
【図面の簡単な説明】
【０００８】
【図１】図１は、実施の形態に係る蓄電装置の外観を示す斜視図である。
【図２】図２は、実施の形態に係る蓄電装置のヒューズを交換する状態を示す斜視図である。
【図３】図３は、実施の形態に係る蓄電装置の分解斜視図である。
【図４】図４は、実施の形態における蓋体及びバスバーの構成を示す斜視図である。
【図５】図５は、図４のＶ−Ｖ線における断面図である。
【図６】図６は、実施の形態におけるヒューズを着脱した場合の蓋体の斜視図である。
【図７】図７は、実施の形態における蓋部を取り外した状態における蓄電装置の断面図である。
【図８】図８は、実施の形態に係る正極外部端子及び負極外部端子の構成を示す斜視図である。
【図９】図９は、実施の形態に係る正極外部端子の構成を詳細に示す斜視図である。
【図１０】図１０は、実施の形態に係る正極外部端子の構成を詳細に示す平面図である。
【図１１】図１１は、実施の形態に係る正極外部端子の第一接続部に、回り止め付端子を接続した場合の構成を示す平面図である。
【図１２】図１２は、実施の形態の変形例１に係る正極外部端子及びその周りの構成を詳細に示す斜視図である。
【図１３】図１３は、実施の形態の変形例２に係る正極外部端子及びその周りの構成を詳細に示す斜視図である。
【図１４】図１４は、実施の形態の変形例３に係る正極外部端子及びその周りの構成を詳細に示す斜視図である。
【図１５】図１５は、実施の形態の変形例３に係る正極外部端子及びその周りの他の構成を詳細に示す斜視図である。
【発明を実施するための形態】
【０００９】
特許文献１に記載の蓄電装置では、ヒューズが交換可能に設けられているため、外部短絡等が発生した場合であっても、ヒューズを交換することにより蓄電素子を交換することなく引き続き使用することができる。
【００１０】
ここで、蓄電装置では、バスバーと他の導電部材との間の不要な短絡を防止するために、バスバーを絶縁する必要がある。しかし、特許文献１に記載の構成では、バスバーの絶縁について考慮されていない。
【００１１】
また、特許文献１に記載の構成では、ヒューズを交換可能とするために、バスバーについて、構造が複雑となっており、締結箇所が多いため抵抗が高くなる。また、バスバーの構造が複雑なため、蓄電装置の組み立てが困難となる虞がある。
【００１２】
本発明は、上記問題を解決するためになされたものであり、バスバーを絶縁構造かつ簡素な構造としつつも、ヒューズのような回路遮断部を交換することができる蓄電装置を提供することを目的とする。
【００１３】
上記目的を達成するために、本発明の一態様に係る蓄電装置は、電極端子を有する蓄電素子と、外装体と、外部接続端子とを備え、前記外部接続端子は、外部の導電部材と接続される外部接続部と、回路遮断部と、前記電極端子または前記外部接続部と前記回路遮断部とを接続するバスバーであって、前記外装体にインサート成形されたバスバーとを備え、前記バスバーは、前記外装体の外側から前記回路遮断部を着脱可能なアウター露出部を有する。
【００１４】
これによれば、バスバーが外装体にインサート成形されていることにより、当該バスバーを絶縁構造かつ簡素な構造とすることができる。また、回路遮断部が接続される部分では、インサート成形されたバスバーが露出しているため、回路遮断部を交換することができる。つまり、本態様によれば、バスバーを絶縁構造かつ簡素な構造としつつも、回路遮断部を交換することができる。
【００１５】
また、前記外装体は、前記外装体の外側に向けて開口して前記回路遮断部を収容する凹部を有し、前記アウター露出部は、前記凹部の内面から露出していることにしてもよい。
【００１６】
これによれば、アウター露出部が凹部の内面から露出していることにより、凹部内の密閉性を確保することができる。具体的には、バスバーが外装体にインサート成形されていることにより、凹部内面のアウター露出部周囲において、バスバーと外装体とは密着している。このため、バスバーと外装体との間における気密を維持することができる。また、凹部が外装体の内側に向けて開口していれば回路遮断部を交換するために外装体を取り外す必要があるが、凹部が外装体の外側に向けて開口しているため、外装体を取り外すことなく、回路遮断部を交換することができる。
【００１７】
また、前記外装体は、前記凹部の開口を開閉可能に閉塞する蓋部を有し、前記蓋部は前記開口を閉じた時に前記アウター露出部を覆うことにしてもよい。
【００１８】
これによれば、凹部の開口を閉塞する蓋部を有することにより、凹部内の密閉性を一層確保することができる。
【００１９】
また、前記バスバーは、前記凹部の凹みに応じて折り曲げられていることにしてもよい。
【００２０】
これによれば、バスバーを凹部の凹みに応じて折り曲げることで、無駄なスペースが生じるのを抑制し、省スペース化を図ることができる。
【００２１】
また、前記蓄電装置はさらに、前記回路遮断部を前記アウター露出部に着脱自在に締結する締結部を備え、前記締結部の一部は、前記外装体にインサート成形されていることにしてもよい。
【００２２】
これによれば、締結部の一部が外装体にインサート成形されていることにより、締結部が固定されるため、回路遮断部の交換を容易に行うことができる。
【００２３】
また、前記バスバーは、前記外部接続部と前記回路遮断部とを接続し、前記外部接続部と一体に形成されていることにしてもよい。
【００２４】
これによれば、バスバーが外部接続部と一体に形成されていることにより、部品点数の削減が図られる。また、バスバーが外部接続部と別体で形成されている場合と比べて、バスバーと外部接続部との間の低抵抗化が図られる。
【００２５】
また、前記バスバーは、前記外部接続部と前記回路遮断部とを接続する第一バスバーと、前記電極端子と前記回路遮断部とを接続する第二バスバーとを備えることにしてもよい。
【００２６】
つまり、回路遮断部は第一バスバーと第二バスバーとの間に配置される。このため、回路遮断部の配置自由度が向上する。
【００２７】
また、前記外装体は、前記蓄電素子を収容する本体と、当該本体の開口を覆い、前記バスバーがインサート成形された蓋体とを備え、前記アウター露出部は、前記蓋体から露出することにしてもよい。
【００２８】
これによれば、バスバーが蓋体にインサート成形されていることにより、蓋体の剛性を高めることができる。
【００２９】
また、前記バスバーは、前記蓋体の上面視において前記アウター露出部からシフトした位置において前記外装体の内側に露出するインナー露出部と、前記外装体にインサート成形されて前記アウター露出部と前記インナー露出部とを接続する接続板部とを有することにしてもよい。
【００３０】
これによれば、バスバーのアウター露出部とインナー露出部とを接続する接続板部が、外装体にインサート成形されていることで、バスバーが他の導電部材と短絡するのを抑制することができる。
【００３１】
また、前記バスバーは、前記電極端子に対向する位置で前記外装体にインサート成形されていることにしてもよい。
【００３２】
これによれば、バスバーが電極端子に対向する位置で露出していれば短絡のおそれがあるが、バスバーが外装体にインサート成形されていることで、バスバーが電極端子と対向する位置に配置されていても、当該短絡を抑制することができる。
【００３３】
また、前記アウター露出部は、前記外装体の表面において、前記外部接続部を配置した位置と反対側に位置することにしてもよい。
【００３４】
これによれば、アウター露出部が外部接続部の近傍に配置されていれば短絡のおそれがあるが、アウター露出部が外部接続部と反対側に配置されることで、当該短絡を抑制することができる。
【００３５】
また、前記バスバーの断面積は、前記外部接続部の断面積以上であることにしてもよい。
【００３６】
これによれば、バスバーが外部接続部以上の断面積を有するため、バスバーに電流が流れる際に、抵抗値が上昇するのを抑制することができる。
【００３７】
また、蓄電素子を備える蓄電装置において、従来、外部と接続される外部接続端子が外装体に設けられた構成が知られている（例えば、特許文献２：特表２０１３−５１６０４１号公報参照）。このような蓄電装置においては、蓄電素子の電極端子と外部接続端子とを接続するための導電部材（上記の特許文献２では、正極リード及び負極リード）が設けられている。
【００３８】
しかしながら、上記従来の蓄電装置においては、外部接続端子を設けるために、蓄電素子の電極端子と外部接続端子とを接続する導電部材が必要であり、構造が複雑になっている。また、当該導電部材は、他の導電部材と絶縁する必要があるため、さらに構造が複雑になる。これにより、蓄電装置の組み立て作業が困難となり、生産性の低下やコストの増加を招くなどの問題が生じる。
【００３９】
本発明の一態様に係る蓄電装置は、蓄電素子と、外装体と、外部接続端子とを備える蓄電装置であって、前記外部接続端子は、外部の導電部材と接続される外部接続部と、前記蓄電素子の電極端子と接続される端子接続部と、前記外部接続部と前記端子接続部との間に配置され、前記外装体にインサート成形された第一インサート部とを有する。
【００４０】
これによれば、蓄電装置において、外部接続端子は、外部の導電部材と接続される外部接続部と、蓄電素子の電極端子と接続される端子接続部と、それらの間で外装体にインサート成形された第一インサート部とを有している。つまり、外部接続端子は、蓄電素子の電極端子と直接接続され、かつ、蓄電素子の電極端子及び外部の導電部材と接続される部分以外は外装体にインサート成形されている。これにより、外部接続端子と蓄電素子の電極端子との間に別の導電部材を配置する必要がなく、また、インサート成形という簡易な構成で絶縁性を確保することができるため、当該蓄電装置によれば、簡易な構成で、外部接続端子を配置することができる。
【００４１】
また、前記外部接続端子は、さらに、前記外部接続部の前記第一インサート部とは異なる位置に接続され、前記外装体と係合する係合部を有することにしてもよい。
【００４２】
これによれば、外部接続端子は、係合部で外装体と係合しているため、例えば外部接続端子に外部の導電部材が接続される際に外部接続端子にトルクがかかる場合でも、外装体に対して外部接続端子を強固に固定することができる。
【００４３】
また、前記外部接続端子は、さらに、前記外部接続部の前記第一インサート部とは異なる位置に接続され、前記外装体にインサート成形された第二インサート部を有することにしてもよい。
【００４４】
これによれば、外部接続端子は、さらに、第二インサート部を有しており、第一インサート部及び第二インサート部の２箇所で外装体にインサート成形された構成であるため、外装体に対して外部接続端子を強固に固定することができている。
【００４５】
また、前記外部接続部は、前記第一インサート部から第一方向に延設される第一接続部と、前記第二インサート部から第二方向に延設される第二接続部とを有し、前記第一接続部における前記第一方向と直交する第三方向と、前記第二接続部における前記第二方向と直交する第四方向とが異なる方向であることにしてもよい。
【００４６】
これによれば、外部接続部において、第一接続部の第一インサート部からの延設方向（第一方向）と直交する方向（第三方向）と、第二接続部の第二インサート部からの延設方向（第二方向）と直交する方向（第四方向）とが異なる方向である。つまり、例えば第一接続部は鉛直方向に向いて外装体にインサート成形され、第二接続部は水平方向に向いて外装体にインサート成形されるなど、第一接続部と第二接続部とが外装体にインサート成形される方向が異なっている。これにより、例えば外部接続端子に外部の導電部材が接続される際に外部接続端子にトルクがかかる場合でも、外装体に対して外部接続端子を強固に固定することができる。
【００４７】
また、前記外装体の外面と、前記外部接続部の当該外面に沿って延設される部分との間には、隙間が形成されていることにしてもよい。
【００４８】
これによれば、外装体の外面と外部接続部との間には、隙間が形成されている。このため、外部接続端子に外部の導電部材を接続する際に、当該隙間に当該導電部材の一部を挿入することで、当該導電部材の回り止めを行うことができる。つまり、外部接続端子に接続する外部の導電部材として、回り止め付端子を採用することができる。
【００４９】
また、前記外部接続部と前記端子接続部と前記第一インサート部とは、一体に形成されていることにしてもよい。
【００５０】
これによれば、外部接続部と端子接続部と第一インサート部とは、一体に形成されているため、外部接続端子を簡易に構成し、配置することができる。
【００５１】
また、前記外部接続端子は、さらに、前記外部接続部と前記端子接続部との間に回路遮断部を有することにしてもよい。
【００５２】
これによれば、外部接続端子は、外部接続部と端子接続部との間に回路遮断部を有している。このため、外部接続端子は、回路の遮断機能も備えることができている。
【００５３】
以下、図面を参照しながら、本発明の実施の形態に係る蓄電装置について説明する。なお、各図は、実施の形態またはその変形例に係る蓄電装置の説明のための図であり、必ずしも厳密に図示したものではない。
【００５４】
また、以下で説明する実施の形態は、本発明の一具体例を示すものである。以下の実施の形態で示される数値、形状、材料、構成要素、構成要素の配置位置及び接続形態、組み立て方法、組み立ての順序などは、一例であり、本発明を限定する主旨ではない。また、以下の実施の形態に係る構成要素のうち、最上位概念を示す独立請求項に記載されていない構成要素については、任意の構成要素として説明される。
【００５５】
（実施の形態）
まず、蓄電装置１の構成概要について、図１〜図３を用いて説明する。
【００５６】
図１は、本発明の実施の形態に係る蓄電装置１の外観を示す斜視図である。図２は、本発明の実施の形態に係る蓄電装置１のヒューズ４０を交換する状態を示す斜視図である。図３は、本発明の実施の形態に係る蓄電装置１を分解した場合の各構成要素を示す分解斜視図である。
【００５７】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。
【００５８】
蓄電装置１は、１以上の蓄電素子を備え、外部からの電気を充電し、また外部へ電気を放電することができる装置である。例えば、蓄電装置１は、電力貯蔵用途や電源用途などに使用される電池モジュールである。
【００５９】
まず、図１に示すように、蓄電装置１は、外装体１０と、外部接続端子である正極外部端子２０及び負極外部端子３０とを備えている。また、図２に示すように、蓄電装置１は、回路遮断部４０を備えている。また、図３に示すように、蓄電装置１は、さらに、外装体１０の内方に、蓄電素子１００（同図では、４つの蓄電素子１０１〜１０４）と、バスバー５０とを備えている。
【００６０】
なお、本実施の形態において、回路遮断部はヒューズである形態を記載する（つまり、回路遮断部４０をヒューズ４０と記載する）が、本発明はこの形態に限られるものではない。例えば、回路遮断部はリレーであっても構わないし、ＦＥＴ（Ｆｉｅｌｄ  ｅｆｆｅｃｔ  ｔｒａｎｓｉｓｔｏｒ）であっても構わない。具体的に、リレーは接続時の抵抗を低くすることができる効果があり、ＦＥＴは半導体素子などの構成によって、省スペース化が可能であるという効果がある。
【００６１】
また、回路遮断部の他の構成として、金属部材であって、幅や厚みが細くまたは薄くなることで一部の断面積が小さくなった溶断可能な箇所を有する溶断金属部材を交換可能に配置することが可能である。例えば、この溶断金属部材は、バスバー５０と同じ材料を用い、後述するアウター露出部に着脱可能とすることができる。
【００６２】
さらに、回路遮断部の他の構成として、車載用のエアバックの原理を応用した火薬内蔵素子を用いることが可能である。この火薬内蔵素子は、蓄電素子１００の異常を検出した際に、電気信号を火薬内蔵素子に与えることで、素子内部の火薬を爆発させ、その爆発力を用いて素子内部の導電部分を物理的に遮断するというものである。この火薬内蔵素子を後述するアウター露出部に着脱可能とすることができる。
【００６３】
また、上述したリレーやＦＥＴは、異常時に自身が遮断したあと、電気信号により復帰することができる遮断素子であるが、本実施の形態によれば、これらの遮断素子が故障した場合に交換することができる。
【００６４】
以上の通り、本実施の形態において、回路遮断部として熱による溶断を利用したヒューズや上述の溶断金属部材だけでなく、電気信号を用いた遮断素子であるリレー、ＦＥＴや上述の火薬内蔵素子もまた用いることが可能である。
【００６５】
また、本実施の形態では、蓄電装置１は、複数の蓄電素子１００を備えているが、蓄電装置１は、少なくとも１つの蓄電素子１００を備えていればよい。また、蓄電装置１は、上記の構成要素の他、例えば、各蓄電素子１００の状態を監視し制御する制御基板等を備えていてもよいが、これら他の構成要素についての図示及び説明は省略する。
【００６６】
外装体１０は、矩形状（箱状）の容器（モジュールケース）であり、複数の蓄電素子１００等の収容物を所定の位置に保持し、これら収容物を衝撃などから保護する役目を担っている。外装体１０は、例えば、ポリカーボネートまたはポリプロピレン（ＰＰ）等の絶縁性の樹脂で形成されている。
【００６７】
具体的には、外装体１０は、蓄電素子１００を収容する外装体本体１２と、外装体本体１２の開口を塞ぐように配置された蓋体１１とを有している。外装体本体１２の開口の周縁と、蓋体１１の周縁とは、熱溶着等の手法によって気密が維持されるよう接合されている。
【００６８】
なお、外装体１０には、蓄電素子１００のガス排出弁（不図示）が開放した場合に、ガス排出弁から排出されるガス（排気）を当該外装体１０の外部に放出する開口部が設けられていてもかまわない。このような開口部は、例えば、外装体本体１２の一部と蓋体１１の一部とによって形成されていてもよく、外装体１０は、外装体本体１２の開口の周縁と蓋体１１の周縁とが、当該開口部を除いて接合されていてもかまわない。
【００６９】
外装体本体１２は、外装体１０の本体を構成する部材であり、矩形筒状で底を備え、上面が開口した形状を有している。また、蓋体１１は、外装体１０の蓋を構成する部材であり、正極外部端子２０と負極外部端子３０とが設けられている。蓄電装置１は、この正極外部端子２０と負極外部端子３０とを介して、外部からの電気を充電し、また外部へ電気を放電する。この正極外部端子２０と負極外部端子３０についての詳細な説明は、後述する。
【００７０】
また、蓋体１１は、ヒューズ４０を収容する凹部１０Ａと、凹部１０Ａの開口を閉塞する蓋部１３とを有している。つまり、ヒューズ４０は、凹部１０Ａによって形成される空間に配置され、当該空間は蓋部１３によって閉塞される。なお、凹部１０Ａ及び蓋部１３が設けられている部材は、蓋体１１に限らず、外装体１０を構成する外装体本体１２等の他の部材であってもかまわない。
【００７１】
ヒューズ４０は、例えば、ヒューズ本体部１２１と、当該ヒューズ本体部１２１の両端に配置された２つのヒューズ接続部１２２とを有する。ヒューズ本体部１２１は、蓄電装置１の外部短絡等により定格以上の電流が流れた場合に溶断する導体と、当該導体を覆うケースとを有する。各ヒューズ接続部１２２は、当該導体の端部に接続された導電性の部材であり、本実施の形態では、貫通孔１２２ａが形成された平板状の部材である。
【００７２】
このように構成されたヒューズ４０は、通常、ヒューズ本体部１２１の導体によって両端のヒューズ接続部１２２が導通状態となっているが、定格以上の電流が流れた場合、当該導体が溶断することにより両端のヒューズ接続部１２２が非導通状態となる。ヒューズ４０は着脱自在に設けられており、ヒューズ４０の着脱部分及びその周辺の構造については、後述する。
【００７３】
なお、ヒューズ４０は、定格以上の電流が流れた場合に溶断する導体を有していればよく、上述の構成に限らない。例えば、ヒューズ４０は、ヒューズ本体部１２１の下方に２つのヒューズ接続部１２２が配置されていてもかまわないし、ヒューズ接続部１２２が棒状であってもかまわない。
【００７４】
凹部１０Ａは、蓋体１１の外周面から陥没して形成され、開口が蓋部１３によって閉塞されている。つまり、凹部１０Ａは、蓄電装置１の外方に開口して（外装体１０の外側に向けて開口して）配置されている。このため、蓋部１３を開けて凹部１０Ａの開口の閉塞を開放することにより、蓋体１１と外装体本体１２とを分離することなく、凹部１０Ａに収容されたヒューズ４０を交換することができる。
【００７５】
蓋部１３は、凹部１０Ａの開口を開閉可能に閉塞する部材であり、本実施の形態では、ネジ１３ａによって蓋体１１に固定されている。つまり、蓋部１３は、凹部１０Ａの開口を閉じた時に、ヒューズ４０や、後述のバスバー５０の露出部１３１Ａ、１３２Ａ（アウター露出部）を覆う。例えば、蓋部１３の下面側の周縁部にはラバーガスケット等の封止部材が設けられ、ネジ１３ａによって蓋部１３が固定されることにより、当該封止部材が蓋部１３と凹部１０Ａの開口の周縁とで押圧されて蓋部１３と凹部１０Ａの開口の周縁とを封止してもかまわない。このような構成により、蓋部１３によって閉塞された凹部１０Ａ内の水密が維持される。つまり、蓋部１３は、凹部１０Ａの開口を閉じた時に、ヒューズ４０や当該アウター露出部を水密に覆う（シールする）のが好ましい。
【００７６】
なお、蓋部１３による凹部１０Ａの開口を開閉可能に閉塞する手法は、ネジ１３ａによる固定に限らず、例えば、蓋部１３と凹部１０Ａの開口の周縁部との係止または嵌合等による固定であってもかまわない。また、蓋部１３を蓋体１１の外周面に沿ってスライド挿入させることにより、凹部１０Ａの開口を開閉可能に閉塞してもかまわない。
【００７７】
バスバー５０（バスバー１３４）は、隣り合う蓄電素子１００の電極端子同士を接続する導電性の板状部材である。本実施の形態では、４つの蓄電素子１００（蓄電素子１０１〜１０４）が、３つのバスバー１３４によって直列に接続されている。つまり、バスバー１３４は、蓄電素子１００の正極端子と、当該蓄電素子１００と隣接する蓄電素子１００の負極端子とを接続する。例えば、バスバー１３４は、蓄電素子１０１の負極端子と、蓄電素子１０２の正極端子とを接続する。さらに、直列接続における両端の蓄電素子１００の一方（図３では、Ｙ軸方向で最もマイナス側の蓄電素子１０１）と、正極外部端子２０とが接続され、両端の蓄電素子１００の他方（図３では、Ｙ軸方向で最もプラス側の蓄電素子１０４）と、負極外部端子３０とが接続されている。
【００７８】
また、正極外部端子２０を形成する部分を含むバスバー５０（後述のバスバー１３３）と、負極外部端子３０を形成する部分を含むバスバー５０（バスバー１３１、１３２）とが、インサート成形によって、樹脂製の蓋体１１に一体に設けられている。これにより、蓋体１１の、２つの外部接続端子（正極外部端子２０及び負極外部端子３０）が露出した部分における気密が維持されている。
【００７９】
また、蓋体１１にインサート成形された、正極外部端子２０の一部であるバスバー１３３、及び、負極外部端子３０の一部であるバスバー１３１は、蓋体１１が外装体本体１２に配置された状態で、蓋体１１の上面に設けられた開口を介して、上記両端の蓄電素子１００と締結される。
【００８０】
また、これら開口のそれぞれは、上記締結の後に閉止板１１ｃ及び１１ｄによって封止される。これにより、これら開口から外装体１０の内部への水等の浸入が防止される。なお、正極外部端子２０、負極外部端子３０、及びバスバー１３１〜１３３の構成の詳細な説明については、後述する。
【００８１】
蓄電素子１００は、電気を充電し、また、電気を放電することのできる二次電池（単電池）であり、より具体的には、リチウムイオン二次電池などの非水電解質二次電池である。蓄電素子１００は、扁平形状の容器１１０と、容器１１０に配置された正極端子１２０及び負極端子１３０とを備える。なお、蓄電素子１００は、非水電解質二次電池には限定されず、非水電解質二次電池以外の二次電池であってもよいし、キャパシタであってもよい。
【００８２】
蓄電素子１００において、容器１１０の内部には、電極体、電極体と正極端子１２０とを接続する正極集電体、及び、電極体と負極端子１３０とを接続する負極集電体が配置されている。また、容器１１０の内部には電解液などの液体が封入されている。
【００８３】
容器１１０は、金属からなる矩形筒状で底を備える容器本体と、容器本体の開口を閉塞する金属製の容器蓋部とで構成されている。容器１１０は、電極体等を内部に収容後、容器蓋部と容器本体とが溶接等されることにより、内部を密封することができるものとなっている。
【００８４】
なお、容器１１０には、容器１１０内に電解液を封入するための注液栓、及び、容器１１０内の圧力が上昇したときに当該圧力を開放するためのガス排出弁、等が設けられているが、これらについては、図示を省略している。
【００８５】
蓄電素子１００が有する電極体は、例えば、正極と負極との間にセパレータが挟み込まれるように層状に配置されたものが巻回されて形成された巻回型の電極体である。なお、電極体は、巻回型には限定されず、例えば、平板状極板を積層した積層型の電極体であってもかまわない。
【００８６】
正極は、アルミニウムまたはアルミニウム合金などからなる長尺帯状の導電性の正極集電箔の表面に正極活物質層が形成された電極板である。負極は、銅または銅合金などからなる長尺帯状の導電性の負極集電箔の表面に負極活物質層が形成された電極板である。セパレータは、微多孔性のシートである。
【００８７】
なお、蓄電素子１００に用いられる正極、負極及びセパレータの材料としては、蓄電素子１００の性能を損なうものでなければ適宜公知の材料を使用できる。また、容器１１０に封入される電解液（非水電解質）としても、蓄電素子１００の性能を損なうものでなければその種類に特に制限はなく様々なものを選択することができる。
【００８８】
正極端子１２０及び負極端子１３０は、容器１１０に収容された電極体に蓄えられている電気を蓄電素子１００の外部空間に導出し、また、電極体に電気を蓄えるために蓄電素子１００の内部空間に電気を導入するための金属製の電極端子である。
【００８９】
本実施の形態では、正極端子１２０及び負極端子１３０のそれぞれには、バスバー５０と接続するためのボルトが配置されており、ボルト及びナットによって、正極端子１２０及び負極端子１３０のそれぞれとバスバー５０とが締結される。
【００９０】
ここで、外部接続端子（正極外部端子２０及び負極外部端子３０）は、外装体１０にインサート成形されている。具体的には、外部接続端子は、蓋体１１にインサート成形されている。本実施の形態では、蓄電素子１００の電極端子（正極端子１２０、負極端子１３０）または後述する外部接続端子の外部接続部とヒューズ４０とを接続するバスバー５０は、外装体１０にインサート成形（外装体１０と一体化）されている。具体的には、バスバー５０は、蓄電素子１００の電極端子に対向する位置で外装体１０にインサート成形されている。また、バスバー５０は、蓋体１１にインサート成形（蓋体１１と一体化）されている。以下に詳細に説明する。
【００９１】
図４は、本実施の形態における蓋体１１及び当該蓋体１１にインサート成形されたバスバー５０（バスバー１３１〜１３３）の構成を示す斜視図である。図５は、図４のＶ−Ｖ線における断面図である。なお、図４では、バスバー５０の蓋体１１から露出した部分にドットのハッチングを施しているが、蓋体１１の裏面（Ｚ軸方向マイナス側の面）から露出した部分についてはハッチングを省略している。
【００９２】
図４及び図５に示すように、正極外部端子２０は、外部の導電部材と接続される外部接続部２１と、バスバー１３３とを有している。また、負極外部端子３０は、外部の導電部材と接続される外部接続部３１と、バスバー１３１、１３２とを有しており、バスバー１３１とバスバー１３２との間に、ヒューズ４０が配置される。また、蓋体１１にインサート成形されたバスバー５０は、外装体１０から露出する露出部を有する。すなわち、蓋体１１にインサート成形されたバスバー５０（バスバー１３１〜１３３）は、一部が蓋体１１から露出するように蓋体１１によって覆われている。このようなバスバー５０及び蓋体１１は、製造時に、バスバー５０を金型内にインサートした状態で、蓋体１１を形成する樹脂を金型内に流し込むことにより形成される。このとき、バスバー５０の所定の部分が樹脂で覆われないように、例えば、当該部分を金型に当接させる、または、金型から突出させる等により、当該部分が蓋体１１から露出する露出部として形成される。
【００９３】
以下、蓋体１１にインサート成形された各バスバー５０（バスバー１３１〜１３３）の構成について、詳細に説明する。
【００９４】
バスバー１３１は、蓄電素子１００の電極端子（蓄電素子１０４の負極端子１３０）とヒューズ４０とを接続する導電性の部材であり、蓋体１１から露出する露出部１３１Ａを有する。露出部１３１Ａは、バスバー１３１の一方の端部に配置され、ヒューズ４０と着脱自在に接続される。具体的には、露出部１３１Ａは、ヒューズ４０の一方のヒューズ接続部１２２と着脱自在に接続され、本実施の形態では、締結部６０によってヒューズ接続部１２２と着脱自在に締結される。つまり、露出部１３１Ａは、外装体１０の外側からヒューズ４０を着脱可能なアウター露出部である。
【００９５】
この構成により、バスバー１３１とヒューズ４０とは、露出部１３１Ａとヒューズ接続部１２２とが面接触した状態で接続されるため、接続による抵抗を抑制することができる。
【００９６】
また、露出部１３１Ａは、外装体１０の表面において、正極外部端子２０の外部接続部２１及び負極外部端子３０の外部接続部３１を配置した位置（Ｙ軸方向マイナス側）と反対側（Ｙ軸方向プラス側）に配置されている。また、外部接続部２１及び３１がＸ軸方向の両端側に配置されているのに対し、露出部１３１Ａは、Ｘ軸方向の中央部分に配置されている。バスバー１３２の露出部１３２Ａについても、同様である。
【００９７】
また、バスバー１３１、１３２は、蓋体１１の上面視で蓋体１１の２辺（Ｘ軸方向及びＹ軸方向に沿った辺）に沿って配設されている。この構成を採用することにより、複数の蓄電素子１００を配列する方向（Ｙ軸方向）に対して直交する方向（Ｘ軸方向）に外部接続部２１及び外部接続部３１を配置した構成において、バスバー１３１、１３２を蓋体１１内部で引き回し、その途中にヒューズ４０を配置することによりスペースを有効に活用することができる。
【００９８】
なお、ヒューズ４０と露出部１３１Ａとは、締結部６０による締結によって着脱自在に接続される構成に限らず、例えば、ヒューズ４０又は露出部１３１Ａに設けられた係止爪等による係止によって着脱自在に接続されてもかまわないし、ヒューズ４０及び露出部１３１Ａに設けられた嵌合部によって着脱自在に接続されてもかまわない。あるいは、ヒューズ４０と露出部１３１Ａとは、ヒューズ４０及びバスバー１３１とは別体に設けられた拘束部材によって上下方向（Ｚ軸方向）に拘束されることにより着脱自在に接続されてもかまわない。
【００９９】
また、本実施の形態では、バスバー１３１は、さらに、蓋体１１の裏面から露出し、かつ、蓄電素子１０４の負極端子１３０の上面（Ｚ軸方向プラス側の面）と接続される露出部１３１Ｂを有する。つまり、露出部１３１Ｂは、蓋体１１の上面視において露出部１３１Ａ（アウター露出部）からシフトした位置において、外装体１０の内側に露出するインナー露出部である。なお、当該上面視とは、外装体本体１２の開口が開口する方向（Ｚ軸方向）に沿って外側から蓋体１１を透視することをいう。
【０１００】
この構成により、バスバー１３１と蓄電素子１０４の負極端子１３０とを、露出部１３１Ｂと負極端子１３０とが面接触した状態で接続することができるため、接続による抵抗を抑制することできる。なお、バスバー１３１は、蓋体１１の裏面から露出せず、他の導電部材によって蓄電素子１０４の負極端子１３０と接続されていてもかまわない。
【０１０１】
本実施の形態では、閉止板１１ｄの下方において露出部１３１Ｂに貫通孔１３１ｂが設けられており、蓋体１１が外装体本体１２に配置された状態で貫通孔１３１ｂに挿入されるボルト及びナットによって、露出部１３１Ｂと蓄電素子１０４の負極端子１３０とが締結される。当該ボルトは、例えば、蓄電素子１０４の負極端子１３０に配置されたボルトである。このように露出部１３１Ｂと負極端子１３０とが締結されることにより、インサート成形によってバスバー１３１と一体に形成されている蓋体１１が蓄電素子１０４と締結される。なお、露出部１３１Ｂと負極端子１３０とを締結する手法は、ボルト及びナットによる締結に限らない。
【０１０２】
また、バスバー１３１は、露出部１３１Ａ（アウター露出部）と露出部１３１Ｂ（インナー露出部）との間に、板状の部位である接続板部１３１Ｃを有する。つまり、接続板部１３１Ｃは、外装体１０にインサート成形されて露出部１３１Ａと露出部１３１Ｂとを接続する部位である。このように、接続板部１３１Ｃは、外装体１０の内側に露出していない。なお、「露出していない」とは、接続板部１３１Ｃが完全に外装体１０にインサート成形されている場合や、接続板部１３１Ｃのほとんどの部分は外装体１０にインサート成形されているが接続板部１３１Ｃがわずかに外装体１０の内側に露出している場合も含む。例えば、蓄電素子１００の電極端子としてボルト端子が採用されている場合において、ボルト端子のボルト径よりも小さい孔を通じて接続板部１３１Ｃが外装体１０の内側に露出している場合なども、「露出していない」に含まれる。
【０１０３】
バスバー１３２は、負極外部端子３０の外部接続部３１とヒューズ４０とを接続する導電性の部材であり、蓋体１１から露出する露出部１３２Ａを有する。露出部１３２Ａは、バスバー１３２の一方の端部に配置され、ヒューズ４０と着脱自在に接続される。具体的には、露出部１３２Ａは、ヒューズ４０の他方のヒューズ接続部１２２と着脱自在に接続され、本実施の形態では、締結部６０によってヒューズ接続部１２２と着脱自在に締結される。つまり、露出部１３２Ａは、露出部１３１Ａと同様に、外装体１０の外側からヒューズ４０を着脱可能なアウター露出部である。
【０１０４】
この構成により、バスバー１３２とヒューズ４０とは、露出部１３２Ａとヒューズ接続部１２２とが面接触した状態で接続することができるため、接続による抵抗を抑制することできる。なお、ヒューズ４０と露出部１３２Ａとの接続手法は、ヒューズ４０と露出部１３１Ａとの接続手法と同様に、締結部６０による締結によって着脱自在に接続される構成に限らない。
【０１０５】
また、本実施の形態では、バスバー１３２は、外部接続部３１と一体に形成されている。つまり、バスバー１３２と外部接続部３１とは、別部材ではなく、１つの部材（部品）を構成している。具体的には、バスバー１３２を形成する導電性の部材は、一方の端部にヒューズ４０が着脱自在に接続される露出部１３２Ａを有し、他方の端部に蓄電装置１外部からの電気を充電し、また外部へ電気を放電する露出部である外部接続部３１を有する。
【０１０６】
また、バスバー１３２の断面積の大きさは、負極外部端子３０の外部接続部３１の断面積の大きさ以上である。なお、バスバー１３２や外部接続部３１の断面積が一定ではない場合には、バスバー１３２の断面積が外部接続部３１の断面積よりも小さくなる箇所があってもかまわない。ただし、バスバー１３２の断面積の最小値が、外部接続部３１の断面積の最大値以上であるのが好ましい。
【０１０７】
バスバー１３３は、蓄電素子１０１の正極端子１２０と正極外部端子２０の外部接続部２１とを接続する導電性の部材であり、一端が蓄電素子１０１の正極端子１２０の上面（Ｚ軸方向プラス側の面）に接続され、他端が外部接続部２１に接続される導電性の部材である。
【０１０８】
本実施の形態では、バスバー１３３は、蓋体１１の裏面から露出し、かつ、蓄電素子１０１の正極端子１２０の上面と接続される露出部１３３Ｂ（インナー露出部）を有する。この構成により、バスバー１３３と蓄電素子１０１の正極端子１２０とを、露出部１３３Ｂと正極端子１２０とが面接触した状態で接続することができるため、接続による抵抗を抑制することできる。なお、バスバー１３３は、蓋体１１の裏面から露出せず、他の導電部材によって蓄電素子１０１の正極端子１２０と接続されていてもかまわない。
【０１０９】
本実施の形態では、閉止板１１ｃの下方において露出部１３３Ｂに貫通孔１３３ｂが設けられており、蓋体１１が外装体本体１２に配置された状態で貫通孔１３３ｂに挿入されるボルト及びナットによって、露出部１３３Ｂと蓄電素子１０１の正極端子１２０とが締結される。当該ボルトは、例えば、蓄電素子１０１の正極端子１２０に配置されたボルトである。このように露出部１３３Ｂと正極端子１２０とが締結されることにより、インサート成形によってバスバー１３３と一体に形成されている蓋体１１が蓄電素子１０１と締結される。なお、露出部１３３Ｂと正極端子１２０とを締結する手法は、ボルト及びナットによる締結に限らない。
【０１１０】
また、本実施の形態では、バスバー１３３は、正極外部端子２０の外部接続部２１と一体に形成されている。つまり、バスバー１３３と外部接続部２１とは、別部材ではなく、１つの部材（部品）を構成している。具体的には、バスバー１３３を形成する導電性の部材は、一方の端部に蓄電装置１外部からの電気を充電し、また外部へ電気を放電する露出部である外部接続部２１を有する。
【０１１１】
また、バスバー１３３の断面積の大きさは、外部接続部２１の断面積の大きさ以上である。同様に、バスバー１３１の断面積の大きさは、外部接続部２１の断面積の大きさ以上である。なお、バスバー１３３や外部接続部２１の断面積が一定ではない場合には、バスバー１３３の断面積が外部接続部２１の断面積よりも小さくなる箇所があってもかまわない。ただし、バスバー１３３の断面積の最小値が、外部接続部２１の断面積の最大値以上であるのが好ましい。バスバー１３１についても同様である。
【０１１２】
このようなバスバー１３１〜１３３は、例えば、導電性を有する板状部材がプレス加工等によって折り曲げられることにより形成されている。なお、バスバー１３１〜１３３を構成する導電性の部材は板状部材に限定されず、例えば中実または中空の棒状部材等であってもかまわないが、板状部材を用いることにより、プレス加工等による加工が容易なため製造効率の向上が図られる。また、板状部材を用いることにより、ヒューズ４０及び蓄電素子１００の電極端子（正極端子１２０、負極端子１３０）と面接触した状態で接続されるため、接続による抵抗を抑制することができる。
【０１１３】
また、バスバー１３１〜１３３は、蓋体１１にインサート成形されていることにより、露出部１３１Ａ、１３１Ｂ、１３２Ａ及び１３３Ｂ等の所定の部分以外の部分が、蓋体１１を形成する樹脂によって覆われている。このため、蓋体１１によって、バスバー１３１〜１３３と蓄電素子１００との絶縁を確保することができる。
【０１１４】
なお、バスバー１３１〜１３３は、導電性の部材として、例えばアルミニウムで形成されているが、バスバー１３１〜１３３の材質は特に限定されない。また、バスバー１３１〜１３３は、全てが同じ材質の部材で形成されていてもよいし、いずれかのバスバーが異なる材質の部材で形成されていてもかまわない。また、バスバー１３１〜１３３の各々は１つの部材から構成されていてもよいし、複数の部材から構成されていてもかまわない。バスバー１３４についても、同様である。
【０１１５】
以上のように、本実施の形態では、バスバー１３１及び１３２を形成する部材の各々は、長手方向中途部が蓋体１１にインサートされており、両端部が蓋体１１から延出している。また、詳細については後述するが、上記の各部材のヒューズ４０と固定（接続）される一端部は、凹部１０Ａの壁面から延出して設けられており、ヒューズ４０が固定される部分は水平に配置される。
【０１１６】
具体的には、バスバー１３１及び１３２は蓋体１１から露出する露出部１３１Ａ及び１３２Ａを有する。また、ヒューズ４０は、締結部６０による締結によって露出部１３１Ａ及び１３２Ａと着脱自在に接続される。
【０１１７】
締結部６０は、ヒューズ４０を露出部１３１Ａ及び１３１Ｂに着脱自在に締結する、ボルト等の部材である。締結部６０は、ヒューズ４０の貫通孔１２２ａ（図２参照）に挿入されてナット等により締結される。
【０１１８】
本実施の形態では、締結部６０は、蓋体１１の裏面側の端部（Ｚ軸方向マイナス側の端部）にかしめ部を有し、当該かしめ部がバスバー１３１又はバスバー１３２の貫通孔に貫通されてかしめられることにより、バスバー１３１又はバスバー１３２と一体に形成されている。このかしめ部は、バスバー１３１又はバスバー１３２と共に樹脂製の蓋体１１にインサート成形されている。つまり、締結部６０の一部は、蓋体１１にインサート成形されている。
【０１１９】
具体的には、締結部６０は、露出部１３１Ａにおいてバスバー１３１の貫通孔に挿入された状態、又は、露出部１３２Ａにおいてバスバー１３２の貫通孔に挿入された状態でかしめられる。
【０１２０】
このように締結部６０がかしめられていることにより、締結部６０とバスバー１３１又は１３２とを強固に接続することができる。また、締結部６０とバスバー１３１又は１３２との接続工程の簡素化が図られる。
【０１２１】
また、本実施の形態では、締結部６０は、蓋体１１の裏面側に締結部６０が露出しないように、締結部６０の一部が当該蓋体１１にインサート成形されている。これにより、蓋体１１にインサート成形された締結部６０を備える蓄電装置１であっても、蓄電素子１００が配置された空間の気密を維持することができる。
【０１２２】
また、本実施の形態では、締結部６０がバスバー１３１又はバスバー１３２と一体に形成されているため、バスバー１３１、１３２及び締結部６０全体の剛性を高めることができる。なお、締結部６０はバスバー１３１又はバスバー１３２と別体に形成されていてもかまわない。ただし、バスバー１３１、１３２及び締結部６０は、ヒューズ４０の着脱時に負荷がかかりやすい部分であるため、ヒューズ４０の着脱部分における損傷または変形等の不具合の発生を抑制する観点から、一体に形成されていることが好ましい。
【０１２３】
なお、締結部６０とバスバー１３１又は１３２とを一体に形成する手法は、かしめに限らず、溶接等であってもかまわない。ただし、締結部６０の蓋体１１の裏面側の端部をかしめることにより、蓋体１１の裏面側への締結部６０の突出を抑制できるため、蓋体１１の裏面側に締結部６０が露出しにくくなり、蓄電素子１００が配置された空間の気密を維持できる。
【０１２４】
次に、凹部１０Ａ及びその周辺部におけるバスバー１３１及び１３２の構成について、凹部１０Ａの形状についても述べながら、詳細に説明する。
【０１２５】
図４及び図５に示すように、本実施の形態では、バスバー１３１及び１３２は、凹部１０Ａの周辺部において当該凹部１０Ａの形状に沿って屈曲している。つまり、バスバー１３１及び１３２は、凹部１０Ａの凹みに応じて折り曲げられている。
【０１２６】
ここで、本実施の形態では、凹部１０Ａは、所定方向（Ｘ軸方向）における断面形状が階段状に形成された、例えば矩形状の開口を有する凹部である。具体的には、凹部１０Ａは、Ｘ軸方向中央部の深底凹部１１０ａと、深底凹部１１０ａのＸ軸方向両側に配置され、深底凹部１１０ａよりも底面が浅い浅底凹部１１０ｂ及び１１０ｃとを有する。凹部１０Ａにヒューズ４０が収容された状態では、深底凹部１１０ａにヒューズ本体部１２１が配置され、浅底凹部１１０ｂ及び１１０ｃにヒューズ本体部１２１よりも厚みが小さいヒューズ接続部１２２が配置される。
【０１２７】
本実施の形態では、バスバー１３１及び１３２が凹部１０Ａに沿って屈曲することにより、露出部１３１Ａ及び１３２Ａは凹部１０Ａの内面から露出している。つまり、バスバー１３１及び１３２の各々は、一端部が凹部１０Ａの壁面から凹部１０Ａ中央部へ延出して設けられ、ヒューズ４０と接続される部分である露出部１３１Ａ及び１３２Ａが水平（ＸＹ平面と平行）に配置されている。
【０１２８】
具体的には、露出部１３１Ａ及び１３２Ａは凹部１０Ａの底面から露出している。より具体的には、露出部１３１Ａは浅底凹部１１０ｂの底面から露出し、露出部１３２Ａは浅底凹部１１０ｃの底面から露出している。例えば、露出部１３１Ａの上面は、浅底凹部１１０ｂの底面と略面一に位置している。また、例えば、露出部１３２Ａの上面は、浅底凹部１１０ｃの底面と略面一に位置している。
【０１２９】
このように露出部１３１Ａ及び１３２Ａが凹部１０Ａの底面から露出することにより、バスバー１３１及び１３２の蓋体１１にインサートされた部分の割合を大きくすることができる。これにより、蓋体１１ならびにバスバー１３１及び１３２の剛性を大きくすることができる。なお、露出部１３１Ａ及び１３２Ａは、凹部１０Ａの壁面から露出していてもかまわない。
【０１３０】
なお、凹部１０Ａの形状は特に限定されず、例えば、円形状の開口を有してもかまわないし、段差のない平坦な底面を有してもかまわない。
【０１３１】
また、本実施の形態では、露出部１３１Ａ及び１３２Ａは、上面視において（Ｚ軸方向プラス側から見て）略矩形状である。このため、平板状のヒューズ接続部１２２との接触面積を大きく確保することができるため、ヒューズ４０と露出部１３１Ａ及び１３２Ａとの接続による抵抗を抑制することができる。
【０１３２】
以上、本実施の形態に係る蓄電装置１について説明した。以下、このような蓄電装置１が奏する効果について説明する。なお、以下では、ヒューズ４０の両端に接続されるバスバー１３１及び１３２のうちバスバー１３２及び当該バスバー１３２に関する事項についての効果を説明するが、バスバー１３１及び当該バスバー１３１に関する事項の効果についても同様である。
【０１３３】
一般的に、ヒューズの導体が溶断することを、「ヒューズが切れる」と称する。一旦切れたヒューズは、導体が溶断しているために再度利用することはできない。このため、ヒューズが設けられた蓄電装置を使用するためには、切れたヒューズを別のヒューズと交換することが必要となる。しかしながら、ヒューズを交換可能な蓄電装置では、ヒューズを交換可能な構成とするために、バスバーが複雑な構造となる場合がある。また、一般的に、蓄電装置では、不要な短絡を防止するためにバスバーを絶縁構造とすることが求められる。
【０１３４】
そこで、本実施の形態によれば、バスバー１３２が外装体１０（本実施の形態では蓋体１１）にインサート成形されていることにより、バスバー１３２を絶縁構造かつ簡易な構造とすることができる。また、ヒューズ４０が接続される部分（露出部１３２Ａ）では、インサート成形されたバスバー１３２が露出しているため、ヒューズ４０を交換することができる。つまり、本実施の形態によれば、バスバー１３２を絶縁構造かつ簡素な構造としつつも、ヒューズ４０を交換することができる。
【０１３５】
具体的には、バスバー１３２が外装体１０にインサート成形されることで、バスバー１３２は外装体１０によって覆われる。このため、バスバー１３２は、絶縁性部材によって形成される外装体１０によって絶縁構造となる。
【０１３６】
また、バスバー１３２が外装体１０にインサート成形されることで、バスバー１３２を簡素な構造としつつ、ヒューズを交換可能な構成にすることができる。ここで、例えば、インサート成形されていないバスバーでは、ヒューズを交換可能な構成にするために、複数の導電部材が締結等によって接続されることにより構成されている場合がある。バスバーの抵抗は、このような締結箇所が多いほど高くなる。そこで、本実施の形態では、バスバー１３２がインサート成形されることによって簡易な構造となることにより、バスバーの締結箇所を削減できるため、バスバーを低抵抗化できる。
【０１３７】
また、バスバー１３２が外装体１０にインサート成形されることで、当該バスバー１３２と外装体１０とは一体に形成された一部品となる。このため、蓄電装置１の組み立ての容易化が図られる。
【０１３８】
また、本実施の形態によれば、露出部１３２Ａが凹部１０Ａの内面から露出していることにより、凹部１０Ａ内の密閉性を確保することができる。具体的には、バスバー１３２が外装体１０にインサート成形されていることにより、凹部１０Ａ内面の露出部１３２Ａ周囲において、バスバー１３２と外装体１０とは密着している。このため、バスバー１３２と外装体１０との間における気密を維持することができる。また、凹部１０Ａが外装体１０の内側に向けて開口していればヒューズ４０を交換するために外装体１０を取り外す必要があるが、凹部１０Ａが外装体１０の外側に向けて開口しているため、外装体１０を取り外すことなく、ヒューズ４０を交換することができる。
【０１３９】
また、バスバー１３２を凹部１０Ａの凹みに応じて折り曲げることで、無駄なスペースが生じるのを抑制し、省スペース化を図ることができる。
【０１４０】
また、本実施の形態によれば、バスバー１３２が蓋体１１にインサート成形されていることにより、蓋体１１の剛性を高めることができる。具体的には、蓋体１１は、インサートされたバスバー１３２によって補強されることとなるため、剛性が高められる。
【０１４１】
また、本実施の形態によれば、さらに、次のような効果が奏される。以下、蓄電装置１が奏する他の効果について、図６及び図７を用いて説明する。
【０１４２】
図６は、本実施の形態において、ヒューズ４０を着脱した場合の蓋体１１の構成を示す斜視図である。具体的には、同図の（ａ）はヒューズ４０を取り付けた状態における蓋体１１の構成を示す斜視図であり、同図の（ｂ）はヒューズ４０を取り外した状態における蓋体１１の構成を示す斜視図である。図７は、本実施の形態において、蓋部１３を取り外した状態における蓄電装置１の構成を示す断面図である。なお、同図において、蓄電素子１００については側面視して図示している。
【０１４３】
一般的に、ヒューズを交換可能な蓄電装置では、ヒューズを交換する際の着脱によってかかる負荷により、ヒューズの交換を繰り返すうちにヒューズの着脱部分において損傷または変形等の不具合が生じる虞がある。
【０１４４】
そこで、本実施の形態によれば、バスバー１３２が外装体１０（本実施の形態では蓋体１１）にインサート成形されていることにより、バスバー１３２と蓄電素子１００との絶縁を確保しつつ、バスバー１３２及び外装体１０の剛性を高めることができる。さらに、インサート成形されたバスバー１３２の露出部１３２Ａにヒューズ４０が接続されるため、ヒューズ４０の着脱による蓄電装置１の損傷または変形等の発生を抑制することができる。
【０１４５】
具体的には、バスバー１３２が外装体１０にインサート成形されることでバスバー１３２及び外装体１０の剛性が高められるため、図６の（ａ）に示すヒューズ４０を取り付けた状態と図６の（ｂ）に示すヒューズ４０を取り外した状態とが繰り返された場合であっても、ヒューズ４０の着脱部分におけるバスバー１３２及び外装体１０の損傷または変形等の不具合の発生を抑制できる。
【０１４６】
また、ヒューズ４０は、バスバー１３２の露出部１３２Ａと着脱自在に接続されているため、蓄電装置１の外部短絡等によりヒューズ４０の交換が必要な場合には、ヒューズ４０を容易に交換することができる。
【０１４７】
具体的には、本実施の形態によれば、バスバー１３２は、蓄電素子１００を収容する外装体本体１２の開口を覆う蓋体１１にインサート成形され、露出部１３２Ａは蓋体１１から露出する。このように露出部１３２Ａが蓋体１１から露出することにより、溶着等によって外装体本体１２が蓋体１１に閉塞されている場合であっても、ヒューズ４０を交換することができる。また、バスバー１３２が蓋体１１にインサート成形されていることにより、露出部１３２Ａの周囲において、バスバー１３２と蓋体１１とは密着している。このため、蓄電素子１００が配置された空間の気密を維持した状態でヒューズ４０を交換することができる。つまり、蓄電素子１００が配置された空間への水等の浸入を抑制しつつ、ヒューズ４０の交換が必要な場合に容易に交換することができる。
【０１４８】
よって、例えば、図７に示すような水等がかかり得る環境でヒューズ４０が交換される場合であっても、蓄電素子１００が配置された空間への当該水の浸入を抑制することができる。つまり、本実施の形態によれば、蓄電素子１００が配置された空間を気密構造に密封することができる。したがって、本実施の形態に係る蓄電装置１は、例えば、オートバイのエンジン始動用のバッテリーなどの、小型の原動機付装置に搭載される蓄電装置であって通常の使用時において雨水がかかり得る環境に置かれる蓄電装置として採用することができる。
【０１４９】
また、本実施の形態によれば、ヒューズ４０が凹部１０Ａに収容されていることにより、外装体１０外方へのヒューズ４０の突出を抑制することができるため、蓄電装置１の小型化が図られる。
【０１５０】
また、本実施の形態によれば、凹部１０Ａの開口を閉塞する蓋部１３を有することにより、凹部１０Ａ内の密閉性を一層確保することで水密構造を実現できるため、凹部１０Ａ内への水等の浸入を抑制することができる。つまり、ヒューズ４０が配置された空間への水等の浸入が抑制されるため、ヒューズ４０への水分の付着を抑制することができる。ヒューズ４０に水分が付着すると、定格以上の電流が流れた場合に溶断すべきヒューズ４０の導体が腐食する場合があるため、ヒューズ４０を頻繁に交換する必要がある。よって、蓋部１３を設けることにより、ヒューズ４０を水等から保護することができるので、ヒューズ４０の交換頻度を低減することができる。
【０１５１】
また、蓄電装置１では、ヒューズ４０の着脱部分において、ヒューズ４０の着脱時に特に負荷がかかりやすい。このため、当該着脱部分は、特に損傷または変形等の不具合が生じやすい。そこで、本実施の形態によれば、ヒューズ４０を着脱自在に締結する締結部６０の一部が外装体１０（本実施の形態では蓋体１１）にインサート成形されていることにより、当該着脱部分におけるバスバー１３２及び外装体１０の剛性をさらに高めることができる。よって、ヒューズ４０の着脱時に負荷がかかりやすいバスバー１３２及び外装体１０の部分における損傷等の発生を抑制できる。
【０１５２】
また、本実施の形態によれば、締結部６０の一部が外装体１０にインサート成形されていることにより、締結部６０が固定される。よって、例えば、ヒューズ４０を交換する際のヒューズ４０の位置決め又は締結作業等が容易になるため、ヒューズ４０の交換を容易に行うことができる。
【０１５３】
また、本実施の形態によれば、バスバー１３２が外部接続端子の外部接続部（本実施の形態における負極外部端子３０の外部接続部３１）と一体に形成されていることにより、部品点数の削減が図られる。また、バスバー１３２が外部接続端子と別体で形成されている場合と比べて、バスバー１３２と外部接続端子との間の低抵抗化が図られる。
【０１５４】
また、本実施の形態によれば、蓄電装置１は、外部接続端子の外部接続部（本実施の形態における外部接続部３１）とヒューズ４０とを接続する第一バスバー（本実施の形態におけるバスバー１３２）と、電極端子（本実施の形態における蓄電素子１０４の負極端子１３０）とヒューズ４０とを接続する第二バスバー（本実施の形態におけるバスバー１３１）とを備える。つまり、ヒューズ４０は第一バスバーと第二バスバーとの間に配置される。このため、ヒューズ４０の配置自由度が向上する。
【０１５５】
また、本実施の形態によれば、蓋体１１と複数の蓄電素子１００とは、蓋体１１にインサート成形されたバスバー１３１及びバスバー１３３と両端の蓄電素子１００とが締結されることにより固定される。これにより、蓋体１１と蓄電素子１００との組み付けが容易となるため、蓄電装置１の組み立て工程の簡素化が図られる。
【０１５６】
また、バスバー１３１の露出部１３１Ａ（アウター露出部）と露出部１３１Ｂ（インナー露出部）とを接続する接続板部１３１Ｃが、外装体１０にインサート成形されていることで、バスバー１３１が他の導電部材と短絡するのを抑制することができる。
【０１５７】
また、バスバー５０が蓄電素子１００の電極端子に対向する位置で露出していれば短絡のおそれがあるが、バスバー５０が外装体１０にインサート成形されていることで、バスバー５０が当該電極端子と対向する位置に配置されていても、当該短絡を抑制することができる。
【０１５８】
また、露出部１３１Ａや露出部１３２Ａなどのアウター露出部が外部接続部２１、３１の近傍に配置されていれば短絡のおそれがあるが、アウター露出部が外部接続部２１、３１と反対側に配置されることで、当該短絡を抑制することができる。
【０１５９】
また、バスバー５０が外部接続部２１または３１以上の断面積を有するため、バスバー５０に電流が流れる際に、抵抗値が上昇するのを抑制することができる。
【０１６０】
次に、上述した正極外部端子２０及び負極外部端子３０の構成の詳細について、上記と異なる観点で、異なる表現を用いて説明を行う。
【０１６１】
図８は、本発明の実施の形態に係る正極外部端子２０及び負極外部端子３０の構成を示す斜視図である。なお、同図では、正極外部端子２０及び負極外部端子３０の蓋体１１から露出した部分にドットのハッチングを施しているが、蓋体１１の裏面（Ｚ軸方向マイナス側の面）から露出した部分についてはハッチングを省略している。
【０１６２】
正極外部端子２０及び負極外部端子３０は、インサート成形によって、蓋体１１に一体に設けられている外部接続端子である。すなわち、正極外部端子２０及び負極外部端子３０は、金属等の導電性の部材であり、一部が樹脂製の蓋体１１から露出するように蓋体１１によって覆われている。
【０１６３】
このような構成は、製造時に、正極外部端子２０及び負極外部端子３０を金型内にインサートした状態で、蓋体１１を形成する樹脂を金型内に流し込むことにより形成される。このとき、正極外部端子２０及び負極外部端子３０の所定の部分が樹脂で覆われないように、例えば、当該部分を金型に当接させる、または、金型から突出させる等により、当該部分が蓋体１１から露出して形成される。これにより、蓋体１１において、正極外部端子２０及び負極外部端子３０が露出した部分における気密が維持されている。
【０１６４】
また、蓋体１１にインサート成形された正極外部端子２０及び負極外部端子３０は、蓋体１１が外装体本体１２に配置された状態で、蓋体１１の上面に設けられた開口部１１ａ及び１１ｂを介して、蓄電素子１００と締結される。また、これら開口部１１ａ及び１１ｂのそれぞれは、上記締結の後に閉止板１１ｃ及び１１ｄによって封止される。これにより、これら開口部１１ａ及び１１ｂから外装体１０の内部への水等の浸入が防止される。
【０１６５】
ここで、正極外部端子２０は、外部接続部２１と、端子接続部２２と、第一インサート部２３と、第二インサート部２４とを有している。また、負極外部端子３０は、外部接続部３１と、端子接続部３２と、第一インサート部３３と、第二インサート部３４とを有しており、端子接続部３２と第一インサート部３３との間にヒューズ４０が配置される。なお、端子接続部２２及び第一インサート部２３は、上述のバスバー１３３に相当し、端子接続部２２は、露出部１３３Ｂに相当する。また、端子接続部３２は、上述のバスバー１３１（露出部１３１Ａ、１３１Ｂ及び接続板部１３１Ｃ）に相当し、第一インサート部３３は、上述のバスバー１３２に相当する。つまり、正極側及び負極側ともに、端子接続部と第一インサート部とでバスバーを構成し、外部接続部に接続されている。
【０１６６】
つまり、負極外部端子３０は、外部接続部３１と端子接続部３２との間にヒューズ４０を有している点で正極外部端子２０と異なるが、それ以外については類似した構成を有しているため、以下では、正極外部端子２０についての構成を詳細に説明し、負極外部端子３０についての構成の説明は簡略化または省略する。
【０１６７】
図９は、本発明の実施の形態に係る正極外部端子２０の構成を詳細に示す斜視図である。具体的には、同図は、図８に示された正極外部端子２０の部分を拡大して示す拡大斜視図である。
【０１６８】
また、図１０は、本発明の実施の形態に係る正極外部端子２０の構成を詳細に示す平面図である。具体的には、同図の（ａ）は、図９に示された正極外部端子２０をＺ軸方向プラス側から見た場合の上面図であり、同図の（ｂ）は、Ｘ軸方向プラス側から見た場合の側面図であり、同図の（ｃ）は、Ｙ軸方向マイナス側から見た場合の側面図である。
【０１６９】
なお、これらの図では、図８と同様に、正極外部端子２０の蓋体１１から露出した部分にドットのハッチングを施しているが、蓋体１１の裏面（Ｚ軸方向マイナス側の面）から露出した部分についてはハッチングを省略している。
【０１７０】
これらの図に示すように、正極外部端子２０は、外部接続部２１と、端子接続部２２と、第一インサート部２３と、第二インサート部２４とを有している。具体的には、正極外部端子２０は、外部接続部２１と端子接続部２２と第一インサート部２３と第二インサート部２４とが一体に形成されて構成されている。つまり、外部接続部２１と端子接続部２２と第一インサート部２３と第二インサート部２４とは、一枚の板状部材により形成されている。なお、この「一枚の板状部材により形成されている」は、複数の板状部材が溶接などで連接されている構成も含む。
【０１７１】
外部接続部２１は、外部の導電部材と接続される正極外部端子２０の本体部分であり、蓋体１１から外方に露出して配置されている。具体的には、外部接続部２１は、板状部材を折り曲げたような形状を有しており、蓋体１１のＸ軸方向プラス側及びＹ軸方向マイナス側の角部に配置されている。ここで、外部接続部２１は、Ｙ軸方向マイナス側に配置される第一接続部２１ａと、Ｚ軸方向プラス側に配置される第二接続部２１ｂとを有している。
【０１７２】
第一接続部２１ａは、第一インサート部２３から第一方向（本実施の形態ではＸ軸方向）に延設される部分である。具体的には、第一接続部２１ａは、第一方向（Ｘ軸方向）、及び、第一方向と直交する第三方向（本実施の形態ではＺ軸方向）に平行な平面を有する平板状の部位である。つまり、第一接続部２１ａは、ＸＺ平面に平行な矩形状かつ平板状の部位である。また、第一接続部２１ａは、一端（Ｘ軸方向マイナス側の端部）が第一インサート部２３に接続され、他端（Ｚ軸方向プラス側の端部）が第二接続部２１ｂに接続されている。
【０１７３】
第二接続部２１ｂは、第二インサート部２４から第二方向（本実施の形態ではＹ軸方向）に延設される部分である。具体的には、第二接続部２１ｂは、第二方向（Ｙ軸方向）、及び、第二方向と直交する第四方向（本実施の形態ではＸ軸方向）に平行な平面を有する平板状の部位である。つまり、第二接続部２１ｂは、ＸＹ平面に平行な矩形状かつ平板状の部位である。また、第二接続部２１ｂは、一端（Ｙ軸方向プラス側の端部）が第二インサート部２４に接続され、他端（Ｙ軸方向マイナス側の端部）が第一接続部２１ａに接続されている。
【０１７４】
以上のように、第一接続部２１ａの延設方向（Ｘ軸方向）を第一方向とし、第二接続部２１ｂの延設方向（Ｙ軸方向）を第二方向とした場合、第一接続部２１ａにおける第一方向と直交する第三方向（Ｚ軸方向）と、第二接続部２１ｂにおける第二方向と直交する第四方向（Ｘ軸方向）とが異なる方向である。言い換えれば、第一接続部２１ａと第二接続部２１ｂとがともに同じ方向（例えばＺ軸方向）に向いて立設されているような構成ではない。
【０１７５】
つまり、例えば、第一接続部２１ａと第二接続部２１ｂとがともにＺ軸方向に向いて立設されている場合には、第一接続部２１ａにおける第一方向と直交する第三方向はＺ軸方向になり、第二接続部２１ｂにおける第二方向と直交する第四方向もＺ軸方向になる。このため、本実施の形態では、第一接続部２１ａと第二接続部２１ｂとがともに同じ方向に向いて立設されているような構成にはならないように形成されている。
【０１７６】
また、第一接続部２１ａと第二接続部２１ｂとがともに同じ方向（例えばＺ軸方向）に向いて立設されている場合、第一接続部２１ａと第二接続部２１ｂとの交差部分が、第一方向（Ｘ軸方向）と第二方向（Ｙ軸方向）とに直交する方向（Ｚ軸方向）に配置される。このため、本実施の形態では、第一接続部２１ａと第二接続部２１ｂとの交差部分が、第一方向と第二方向とに直交する方向とは異なる方向に配置されている、とも言える。
【０１７７】
ここで、本実施の形態では、第一接続部２１ａにおける第一方向と直交する第三方向はＺ軸方向であり、第二接続部２１ｂにおける第二方向と直交する第四方向はＸ軸方向であるので、当該第三方向と当該第四方向とは直交している。
【０１７８】
なお、正極外部端子２０を外装体１０に対して強固に固定するという観点からは、当該第三方向と当該第四方向とは、本実施の形態のように直交しているのが好ましいが、直交していることには限定されない。つまり、当該第三方向はＺ軸方向には限定されず、当該第四方向はＸ軸方向には限定されない。例えば、当該第三方向がＺ軸方向から傾斜していたり、当該第四方向がＸ軸方向から傾斜していたりしていてもよい。また、当該第三方向と当該第四方向とが逆（当該第三方向がＸ軸方向であり、かつ、当該第四方向がＺ軸方向）となった構成でもかまわない。
【０１７９】
また、同様に、第一接続部２１ａの延設方向である第一方向と、第二接続部２１ｂの延設方向である第二方向とは、本実施の形態のように直交しているのが好ましいが、直交していることには限定されない。つまり、当該第一方向はＸ軸方向には限定されず、当該第二方向はＹ軸方向には限定されない。例えば、当該第一方向がＸ軸方向から傾斜していたり、当該第二方向がＹ軸方向から傾斜していたりしていてもよい。また、当該第一方向と当該第二方向とが同じ方向（例えば、第一方向と第二方向とがともにＸ軸方向）となった構成でもかまわない。
【０１８０】
また、第一接続部２１ａ及び第二接続部２１ｂには、外部の導電部材が接続される際に使用される貫通孔２１ｃ及び２１ｄが形成されている。つまり、バスバーなどの外部の導電部材が正極外部端子２０に接続される際に、貫通孔２１ｃまたは２１ｄにボルトが挿入されて当該ボルトにナットが締結されることによって、当該導電部材が正極外部端子２０に固定される。これにより、蓄電装置１が、隣接する蓄電装置や、電力系統、電力負荷などに接続される。
【０１８１】
なお、貫通孔２１ｃ及び２１ｄは、本実施の形態では断面が円形状の貫通孔であるが、第一接続部２１ａ及び第二接続部２１ｂに導電部材が接続できる形状であれば、どのような形状であってもかまわない。例えば、貫通孔２１ｃ及び２１ｄは、断面が長円形状、矩形状または三角形状などであってもよいし、切り欠き形状であってもかまわない。
【０１８２】
端子接続部２２は、蓄電素子１００の電極端子と接続される、ＸＹ平面に平行な矩形状かつ平板状の部分である。端子接続部２２は、端部（Ｙ軸方向マイナス側の端部）が第一インサート部２３に接続されている。また、端子接続部２２は、一部が蓋体１１の裏面から露出し、この露出した部分が蓄電素子１００の正極端子１２０（図３の蓄電素子１０１の正極端子１２０）の上面（Ｚ軸方向プラス側の面）に配置されて接続される。
【０１８３】
なお、図９に示すように、本実施の形態では、蓄電素子１０１の正極端子１２０は、端子接続部２２との接続位置を調整するための端子位置調整部材１２０ｃを有している。つまり、正極端子１２０は、ボルト部と端子接続部２２との位置を調整するために、第二ボルト部１２０ｄ及び第二ナット部１２０ｅを有する板状の端子位置調整部材１２０ｃを、第一ボルト部１２０ａと第一ナット部１２０ｂとで固定している。言い換えれば、正極端子１２０は、端子接続部２２との固定部材として、第一ボルト部１２０ａ及び第一ナット部１２０ｂの代わりに、第二ボルト部１２０ｄ及び第二ナット部１２０ｅを有している。
【０１８４】
具体的には、端子接続部２２は、貫通孔２２ａが形成されており、貫通孔２２ａの周囲が蓋体１１から外方に露出し、その他の部分はインサート成形によって蓋体１１内に埋め込まれている。そして、貫通孔２２ａに蓄電素子１０１の正極端子１２０の第二ボルト部１２０ｄが挿入されて、端子接続部２２上方に形成された開口部１１ａに第二ナット部１２０ｅが挿入されて、端子接続部２２が正極端子１２０に締結される。つまり、端子接続部２２は、露出した部分が、正極端子１２０の端子位置調整部材１２０ｃの上面（Ｚ軸方向プラス側の面）に配置されて、正極端子１２０に接続される。そして、開口部１１ａが閉止板１１ｃによって封止される。なお、端子接続部２２と正極端子１２０とを締結する手法は、ボルト及びナットによる締結に限らない。
【０１８５】
なお、貫通孔２２ａは、本実施の形態では断面が円形状の貫通孔であるが、正極端子１２０に端子接続部２２が接続できる形状であれば、どのような形状であってもかまわない。例えば、貫通孔２２ａは、断面が長円形状、矩形状または三角形状などであってもよいし、切り欠き形状であってもかまわない。開口部１１ａ及び閉止板１１ｃの形状についても、同様である。また、正極端子１２０は、端子位置調整部材１２０ｃを有しておらず、第一ボルト部１２０ａ及び第一ナット部１２０ｂで端子接続部２２と固定される構成でもかまわない。なお、貫通孔２２ａは、上述の貫通孔１３３ｂに相当する。
【０１８６】
このような構成により、端子接続部２２と蓄電素子１０１の正極端子１２０とを、面接触した状態で接続することができるため、接続による抵抗を抑制することができる。また、端子接続部２２と正極端子１２０とが締結されることにより、インサート成形によって端子接続部２２と一体に形成されている蓋体１１が蓄電素子１０１と締結される。また、開口部１１ａが閉止板１１ｃによって封止されることで、開口部１１ａから外装体１０の内部への水等の浸入が防止される。
【０１８７】
第一インサート部２３は、外部接続部２１と端子接続部２２との間に配置され、外装体１０にインサート成形された部分である。具体的には、第一インサート部２３は、インサート成形によって蓋体１１内に埋め込まれた、ＸＺ平面に平行な矩形状かつ平板状の部分である。また、第一インサート部２３は、一端（Ｘ軸方向プラス側の端部）が外部接続部２１の第一接続部２１ａに接続され、他端（Ｚ軸方向マイナス側の端部）が端子接続部２２に接続されている。
【０１８８】
第二インサート部２４は、外部接続部２１の第一インサート部２３とは異なる位置に接続され、外装体１０にインサート成形された部分である。具体的には、第二インサート部２４は、インサート成形によって蓋体１１内に埋め込まれた、ＸＺ平面に平行な矩形状かつ平板状の部分である。また、第二インサート部２４は、端部（Ｚ軸方向プラス側の端部）が外部接続部２１の第二接続部２１ｂに接続されている。
【０１８９】
以上のような構成により、正極外部端子２０は、複数の部分が一体に形成されている。ここで、正極外部端子２０は、例えば、導電性を有する一枚の板状部材をプレス加工等によって折り曲げることにより形成することができる。なお、正極外部端子２０を構成する部材は板状部材に限定されず、例えば中実または中空の棒状部材等であってもかまわないが、板状部材を用いることにより、プレス加工等による加工が容易なため製造効率の向上が図られる。また、板状部材を用いることにより、上述の通り、正極外部端子２０が蓄電素子１００の正極端子１２０と面接触した状態で接続されるため、接続による抵抗を抑制することができる。
【０１９０】
なお、正極外部端子２０は、導電性の部材として、例えばアルミニウムで形成されているが、正極外部端子２０の材質は特に限定されない。また、正極外部端子２０を構成する各部分（外部接続部２１、端子接続部２２、第一インサート部２３及び第二インサート部２４）は、全てが同じ材質の部材で形成されていてもよいし、いずれかの部分が異なる材質の部材で形成されていてもかまわない。
【０１９１】
ここで、蓋体１１の上面部のうち、正極外部端子２０の第一接続部２１ａと対向する位置に、段差状（階段状）の第一上面部１１ｅが配置されている。具体的には、第一接続部２１ａの貫通孔２１ｃの下方に、第一接続部２１ａと離隔して第一上面部１１ｅが配置されている。この構成によって、外装体１０の外面（第一上面部１１ｅ）と、正極外部端子２０の当該外面に沿って延設される部分（第一接続部２１ａ）との間に、隙間が形成されている。
【０１９２】
これにより、図１１に示すように、正極外部端子２０の第一接続部２１ａに、外部の導電部材である回り止め付端子５１を接続することができる。図１１は、本発明の実施の形態に係る正極外部端子２０の第一接続部２１ａに、回り止め付端子５１を接続した場合の構成を示す平面図である。なお、同図は、図１０の（ｂ）に対応する図である。
【０１９３】
回り止め付端子５１は、端子本体部５１ａと、端子本体部５１ａの上端部からＹ軸方向プラス側に突出した突出部５１ｂと、端子本体部５１ａの下端部からＹ軸方向プラス側に突出した突出部５１ｃとを有している。また、端子本体部５１ａには貫通孔５１ｄが形成されている。
【０１９４】
そして、第一接続部２１ａと蓋体１１の第一上面部１１ｅとの間の隙間に突出部５１ｃが挿入され、かつ、第一接続部２１ａのＹ軸方向マイナス側の側面に端子本体部５１ａが当接するように、回り止め付端子５１が配置される。そして、第一接続部２１ａのＹ軸方向プラス側に角型のナット５３が配置され、端子本体部５１ａのＹ軸方向マイナス側から貫通孔５１ｄ及び２１ｃにボルト５２が挿入されて、ボルト５２とナット５３とが締結される。なお、ボルト５２及びナット５３の形状は、同図の形状には限定されない。
【０１９５】
なお、第二接続部２１ｂについても同様に、第二接続部２１ｂの側方（Ｘ軸方向マイナス側）において、蓋体１１の外面（ＹＺ平面に平行な面）との間に隙間が形成されているため、上記のような回り止め付端子を接続することができる。
【０１９６】
次に、負極外部端子３０の構成について、正極外部端子２０と異なる点を中心に説明する。
【０１９７】
図８に戻り、負極外部端子３０は、外部接続部３１と、第一インサート部３３と、第二インサート部３４と、端子接続部３２とを有し、かつ、端子接続部３２と第一インサート部３３との間に着脱自在に接続されるヒューズ４０を有している。ここで、外部接続部３１と、第一インサート部３３と、第二インサート部３４とは、一体に形成されている。つまり、外部接続部３１と第一インサート部３３と第二インサート部３４とは、一枚の板状部材により形成されている。なお、この「一枚の板状部材により形成されている」は、複数の板状部材が溶接などで連接されている構成も含む。
【０１９８】
外部接続部３１は、外部の導電部材と接続される負極外部端子３０の本体部分であり、蓋体１１から外方に露出して配置されている。ここで、外部接続部３１は、正極外部端子２０の外部接続部２１と同様に、第一インサート部３３から延設される第一接続部と、第二インサート部３４から延設される第二接続部とを有しているが、外部接続部２１の構成と同様のため、詳細な説明は省略する。なお、外部接続部３１についても、第一接続部の延設方向を第一方向とし、第二接続部の延設方向を第二方向とした場合、第一接続部における第一方向と直交する第三方向と、第二接続部における第二方向と直交する第四方向とが異なる方向となる（具体的には直交する）ように構成されている。
【０１９９】
端子接続部３２は、蓄電素子１００の電極端子と接続される、Ｘ軸方向に延設された板状の部分である。具体的には、端子接続部３２は、Ｘ軸方向プラス側の端部に形成された貫通孔３２ａの周囲と、ヒューズ４０が接続されるＸ軸方向マイナス側の端部３２ｂとが蓋体１１から外方に露出しており、その他の部分はインサート成形によって蓋体１１内に埋め込まれている。端子接続部３２の端部３２ｂは、ヒューズ４０の一方のヒューズ接続部１２２と着脱自在に接続（締結）される。なお、貫通孔３２ａは、上述の貫通孔１３１ｂに相当し、端部３２ｂは、上述の露出部１３１Ａに相当する。
【０２００】
そして、貫通孔３２ａに蓄電素子１０４の負極端子１３０のボルト部分が挿入されて、端子接続部３２上方に形成された開口部１１ｂにナットが挿入されて、端子接続部３２が負極端子１３０に締結される。なお、本実施の形態では、負極側の端子接続部３２と負極端子１３０との接続においては、正極側のような端子位置調整部材は配置されていないが、負極側についても端子位置調整部材を有している構成でもかまわない。そして、開口部１１ｂが閉止板１１ｄによって封止される。なお、端子接続部３２と負極端子１３０とを締結する手法は、ボルト及びナットによる締結に限らない。
【０２０１】
なお、貫通孔３２ａは、本実施の形態では断面が円形状の貫通孔であるが、負極端子１３０に端子接続部３２が接続できる形状であれば、どのような形状であってもかまわない。例えば、貫通孔３２ａは、断面が長円形状、矩形状または三角形状などであってもよいし、切り欠き形状であってもかまわない。開口部１１ｂ及び閉止板１１ｄの形状についても、同様である。
【０２０２】
第一インサート部３３は、外部接続部３１と端子接続部３２との間に配置され、外装体１０にインサート成形された板状の部分であり、Ｙ軸方向に延設されて配置されている。具体的には、第一インサート部３３は、ヒューズ４０が接続される端部３３ａが蓋体１１から外方に露出しており、その他の部分はインサート成形によって蓋体１１内に埋め込まれている。第一インサート部３３の端部３３ａは、ヒューズ４０の他方のヒューズ接続部１２２と着脱自在に接続（締結）される。なお、端部３３ａは、上述の露出部１３２Ａに相当する。
【０２０３】
このように、ヒューズ４０は、端子接続部３２の端部３２ｂ及び第一インサート部３３の端部３３ａと着脱自在に接続されているため、蓄電装置１の外部短絡等によりヒューズ４０の交換が必要な場合には、ヒューズ４０を容易に交換することができる。
【０２０４】
なお、本実施の形態では、ヒューズ４０と端子接続部３２の端部３２ｂ及び第一インサート部３３の端部３３ａとは、ボルト及びナットによって締結されるが、これには限定されない。例えば、ヒューズ４０と端部３２ｂ及び端部３３ａとがかしめられたり、係合または嵌合したりすることで着脱自在に接続されてもかまわない。または、ヒューズ４０と端部３２ｂ及び端部３３ａとは、ヒューズ４０と端部３２ｂ及び端部３３ａとは別体に設けられた部材によって固定されてもかまわない。
【０２０５】
また、ヒューズ４０と端部３２ｂ及び端部３３ａとは、着脱自在に接続される構成にも限定されない。例えば、ヒューズ４０が端部３２ｂ及び端部３３ａに溶接等で固定されているなどにより、負極外部端子３０は、外部接続部３１と端子接続部３２と第一インサート部３３と第二インサート部３４とヒューズ４０とが全て一体に形成されている構成を有していてもかまわない。
【０２０６】
第二インサート部３４は、外部接続部３１の第一インサート部３３とは異なる位置に接続され、外装体１０にインサート成形された、ＸＺ平面に平行な矩形状かつ平板状の部分である。
【０２０７】
以上のような構成において、負極外部端子３０は、正極外部端子２０と同様に、例えば、導電性を有する板状部材をプレス加工等によって折り曲げることにより形成することができる。また、負極外部端子３０においても、導電性の部材として、例えばアルミニウムで形成されている。なお、負極外部端子３０を構成する各部分（外部接続部３１、端子接続部３２、第一インサート部３３及び第二インサート部３４）は、全てが同じ材質の部材で形成されていてもよいし、いずれかの部分が異なる材質の部材で形成されていてもかまわない。
【０２０８】
また、正極外部端子２０と同様に、蓋体１１と負極外部端子３０の外部接続部３１との間にも隙間が形成されているため、正極外部端子２０の外部接続部２１と同様に、外部接続部３１に回り止め付端子を接続することができる。
【０２０９】
以上のように、本発明の実施の形態に係る蓄電装置１によれば、以下の効果を奏することができる。なお、以下では、正極外部端子２０についての効果を説明し、負極外部端子３０については、正極外部端子２０と同様の効果の場合には省略する。
【０２１０】
正極外部端子２０は、外部の導電部材と接続される外部接続部２１と、蓄電素子１００の正極端子１２０と接続される端子接続部２２と、それらの間で外装体１０にインサート成形された第一インサート部２３とを有している。つまり、正極外部端子２０は、蓄電素子１００の正極端子１２０と直接接続され、かつ、蓄電素子１００の正極端子１２０及び外部の導電部材と接続される部分以外は外装体１０にインサート成形されている。これにより、正極外部端子２０と蓄電素子１００の正極端子１２０との間に別の導電部材を配置する必要がなく、また、インサート成形という簡易な構成で絶縁性を確保することができるため、蓄電装置１によれば、簡易な構成で、正極外部端子２０を配置することができる。
【０２１１】
また、正極外部端子２０等が外装体１０にインサート成形されていることにより、蓄電素子１００が配置された空間を気密構造に密封することができる。したがって、例えば、オートバイのエンジン始動用のバッテリーなどの、小型の原動機付装置に搭載される蓄電装置であって通常の使用時において雨水がかかり得る環境に置かれる蓄電装置として、採用することができる。
【０２１２】
また、正極外部端子２０が外装体１０にインサート成形されていることにより、外装体１０の剛性を高めることができる。
【０２１３】
また、正極外部端子２０は、さらに、第二インサート部２４を有しており、第一インサート部２３及び第二インサート部２４の２箇所で外装体１０にインサート成形された構成であるため、外装体１０に対して正極外部端子２０を強固に固定することができている。
【０２１４】
また、外部接続部２１において、第一接続部２１ａの第一インサート部２３からの延設方向（第一方向）と直交する方向（第三方向）と、第二接続部２１ｂの第二インサート部２４からの延設方向（第二方向）と直交する方向（第四方向）とが異なる方向である。つまり、例えば第一接続部２１ａは鉛直方向に向いて外装体１０にインサート成形され、第二接続部２１ｂは水平方向に向いて外装体１０にインサート成形されるなど、第一接続部２１ａと第二接続部２１ｂとが外装体１０にインサート成形される方向が異なっている。これにより、例えば正極外部端子２０に外部の導電部材が接続される際に正極外部端子２０にトルクがかかる場合でも、外装体１０に対して正極外部端子２０を強固に固定することができる。
【０２１５】
また、外装体１０の外面と外部接続部２１との間には、隙間が形成されている。このため、正極外部端子２０に外部の導電部材を接続する際に、当該隙間に当該導電部材の一部を挿入することで、当該導電部材の回り止めを行うことができる。つまり、正極外部端子２０に接続する外部の導電部材として、回り止め付端子５１を採用することができる。
【０２１６】
また、外部接続部２１と端子接続部２２と第一インサート部２３と第二インサート部２４とは、一体に形成されているため、正極外部端子２０を簡易に構成し、配置することができる。
【０２１７】
また、負極外部端子３０は、外部接続部３１と端子接続部３２との間にヒューズ４０を有している。このため、負極外部端子３０は、ヒューズ機能も備えることができている。
【０２１８】
（変形例１）
次に、上記実施の形態の変形例１について、説明する。図１２は、本発明の実施の形態の変形例１に係る正極外部端子２０ａ及びその周りの構成を詳細に示す斜視図である。具体的には、同図は、図９に対応する図である。
【０２１９】
図１２に示すように、正極外部端子２０ａは、上記実施の形態における正極外部端子２０の第二インサート部２４に代えて係合部２５を備えている点で、上記実施の形態における正極外部端子２０と異なる。なお、その他の構成については、上記実施の形態と同様であるため、詳細な説明は省略する。
【０２２０】
係合部２５は、外部接続部２１の第一インサート部２３とは異なる位置に接続され、蓋体１１から露出して配置された、外装体１０と係合する部分である。具体的には、係合部２５は、上端部（Ｚ軸方向プラス側の端部）が外部接続部２１の第二接続部２１ｂに接続され、かつ、下端部（Ｚ軸方向マイナス側の端部）が蓋体１１の第二上面部１１ｆに当接（接地）して配置された、ＸＺ平面に平行な矩形状かつ平板状の部分である。なお、係合部２５のＹ軸方向プラス側の側面は、蓋体１１の側面と当接していてもよいし、隙間があってもかまわない。
【０２２１】
以上のように、本変形例１に係る蓄電装置によれば、正極外部端子２０ａは、係合部２５で外装体１０と係合しているため、例えば正極外部端子２０ａの第一接続部２１ａに外部の導電部材が接続される際に正極外部端子２０ａにトルクがかかる場合でも、外装体１０に対して正極外部端子２０ａを強固に固定することができる。また、負極側についても、同様に構成することができる。
【０２２２】
（変形例２）
次に、上記実施の形態の変形例２について、説明する。図１３は、本発明の実施の形態の変形例２に係る正極外部端子２０ａ及びその周りの構成を詳細に示す斜視図である。具体的には、同図は、図９に対応する図である。
【０２２３】
図１３に示すように、本変形例２は、上記変形例１における蓋体１１に爪部１１ｇが設けられている点で、上記変形例１と異なる。なお、その他の構成については、上記変形例１と同様であるため、詳細な説明は省略する。
【０２２４】
爪部１１ｇは、係合部２５の側端部（Ｘ軸方向プラス側の端部）を厚み方向（Ｙ軸方向）の両側から挟み込むように配置された突起状の部位である。このように、係合部２５は、下端部で蓋体１１の第二上面部１１ｆと係合し、かつ、側端部で爪部１１ｇと係合している。なお、爪部１１ｇは、係合部２５の側端部に係合（当接）する構成であれば、どのような形状でもかまわない。また、係合部２５は、蓋体１１の第二上面部１１ｆには係合（当接）していない構成でもかまわない。
【０２２５】
以上のように、本変形例２に係る蓄電装置によれば、正極外部端子２０ａは、係合部２５が外装体１０の爪部１１ｇと係合しているため、例えば正極外部端子２０ａの第一接続部２１ａに外部の導電部材が接続される際に正極外部端子２０ａにトルクがかかる場合でも、外装体１０に対して正極外部端子２０ａを強固に固定することができる。また、負極側についても、同様に構成することができる。
【０２２６】
（変形例３）
次に、上記実施の形態の変形例３について、説明する。図１４は、本発明の実施の形態の変形例３に係る正極外部端子２０ｂ及びその周りの構成を詳細に示す斜視図である。図１５は、本発明の実施の形態の変形例３に係る正極外部端子２０ｂ及びその周りの他の構成を詳細に示す斜視図である。具体的には、これらの図は、図９に対応する図である。
【０２２７】
図１４に示すように、正極外部端子２０ｂは、上記実施の形態における正極外部端子２０の構成に加えて第三接続部２１ｅを備えている点で、上記実施の形態における正極外部端子２０と異なる。つまり、本変形例３に係る外部接続部２６は、外部接続部２１が有する第一接続部２１ａ及び第二接続部２１ｂに加えて、第三接続部２１ｅを備えている。なお、その他の構成については、上記実施の形態と同様であるため、詳細な説明は省略する。
【０２２８】
第三接続部２１ｅは、第二接続部２１ｂに接続され、蓋体１１から露出して配置された、ＹＺ平面に平行な矩形状かつ平板状の部分である。具体的には、第三接続部２１ｅは、上端部（Ｚ軸方向プラス側の端部）が第二接続部２１ｂに接続され、第二接続部２１ｂから下方（Ｚ軸方向マイナス側）へ延出するように屈曲されて設けられている。つまり、第三接続部２１ｅは、第一接続部２１ａ及び第二接続部２１ｂとは異なる方向を向いて配置された接続部である。
【０２２９】
また、第三接続部２１ｅには、第一接続部２１ａ及び第二接続部２１ｂと同様に貫通孔が形成されており、この貫通孔を介して、外部の導電部材と接続することができる。つまり、この第三接続部２１ｅの貫通孔、第一接続部２１ａの貫通孔２１ｃまたは第二接続部２１ｂの貫通孔２１ｄにボルトを挿入してナットと締結することで、外部の導電部材と接続することができる。なお、本変形例３の構成では、上記実施の形態のようにナットを配置することが困難であるため、これらの貫通孔をネジ孔にして、ボルトを接続することにしてもよい。
【０２３０】
このように、正極外部端子２０ｂは、外部接続部２６の第一接続部２１ａ、第二接続部２１ｂ及び第三接続部２１ｅの３つの異なる方向に向いて配置された３つの接続部において、外部の導電部材と接続可能な構成となっている。なお、正極外部端子２０ｂは、各部位が一体に形成されて構成されている。つまり、正極外部端子２０ｂは、一枚の板状部材が折り曲げられる等により形成されている。
【０２３１】
なお、第三接続部２１ｅは、第二接続部２１ｂだけでなく、第一接続部２１ａ及び第二インサート部２４の少なくとも一方にも接続されていてもよい。つまり、図１５に示すように、例えば、第三接続部２１ｅは、上端部（Ｚ軸方向プラス側の端部）が第二接続部２１ｂに接続され、一方の側端部（Ｙ軸方向マイナス側の端部）が第一接続部２１ａに接続され、他方の側端部（Ｙ軸方向プラス側の端部）が第二インサート部２４に接続されている構成でもかまわない。これは、図１４に示された構成における第二接続部２１ｂと第一接続部２１ａ及び第二インサート部２４とを溶接で接続したり、または鋳造等により、構成することができる。なお、図１５に示された構成においても、第一接続部２１ａ、第二接続部２１ｂ及び第三接続部２１ｅに形成された貫通孔は、ネジ孔としてもよい。
【０２３２】
以上のように、本変形例３に係る蓄電装置によれば、正極外部端子２０ｂは、さらに第三接続部２１ｅを有しているため、外部の導電部材との接続の自由度を向上させることができる。また、図１５に示したように第三接続部２１ｅが接続されていることで、正極外部端子２０ｂの強度向上を図ることもできている。また、負極側についても、同様に構成することができる。
【０２３３】
（その他の変形例等）
以上、本発明の実施の形態及びその変形例に係る蓄電装置１について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて請求の範囲によって示され、請求の範囲と均等の意味及び範囲内での全ての変更が含まれることが意図される。
【０２３４】
例えば、上記実施の形態及びその変形例では、蓄電装置１は１以上の蓄電素子１００を収容する外装体１０を備えることとした。しかし、外装体１０は、蓄電素子１００の外方に配置されていればよく、蓄電素子１００を収容していなくてもかまわない。例えば、外装体１０は、蓄電素子１００を両側から挟みこむように配置されていてもかまわない。
【０２３５】
また、上記実施の形態及びその変形例では、ヒューズ４０は凹部１０Ａに収容されているとしたが、収容されていなくてもかまわない。つまり、外装体１０は凹部１０Ａを有さず、バスバー１３１の露出部１３１Ａ及びバスバー１３２の露出部１３２Ａは外装体１０の外周面から露出していてもかまわない。
【０２３６】
また、上記実施の形態及びその変形例では、外装体１０は蓋部１３を有するとしたが、蓋部１３を有さなくてもかまわない。つまり、凹部１０Ａの内面は、蓄電装置１の外方に露出していてもかまわない。
【０２３７】
また、上記実施の形態及びその変形例では、バスバー１３２は外部接続部３１と一体に形成され、バスバー１３３は外部接続部２１と一体に形成されるとしたが、これらは別体に形成されていてもかまわない。また、上記実施の形態では、負極外部端子３０、正極外部端子２０（バスバー１３１〜１３３）は、蓋体１１に設けられるとしたが、少なくとも１つが外装体本体１２に設けられていてもかまわない。
【０２３８】
また、上記説明では、ヒューズ４０は外装体１０にインサート成形された２つのバスバー１３１及び１３２の間に配置されるとしたが、これに限らない。例えば、ヒューズ４０は、当該ヒューズ４０の一端が外装体１０にインサート成形されたバスバーに接続され、当該ヒューズ４０の他端が外部接続部３１または２１等にバスバーを介さずに接続されていてもかまわない。
【０２３９】
また、上記実施の形態及びその変形例では、ヒューズ４０は負極側のバスバー１３１及び１３２の間（負極外部端子３０の端子接続部３２及び第一インサート部３３の間）に設けられていたが、正極側のバスバー１３３（正極外部端子２０）に設けられていてもかまわない。つまり、ヒューズ４０は、例えば第一インサート部２３に配置されているなど、蓄電素子１００の電極端子と外部接続部２１との間に配置されている構成でもかまわない。この場合、正極側においても、負極側と同様に、端子接続部２２がインナー露出部であり、第一インサート部２３は、ヒューズ４０を着脱可能なアウター露出部や、アウター露出部とインナー露出部とを接続する接続板部を有しているのが好ましい。
【０２４０】
また、上記実施の形態及びその変形例では、正極外部端子２０及び負極外部端子３０は、ともに外装体１０にインサート成形されていることとした。しかし、正極外部端子２０及び負極外部端子３０のいずれか一方が、外装体１０にインサート成形されていない構成でもかまわない。
【０２４１】
また、上記実施の形態及びその変形例では、正極外部端子２０及び負極外部端子３０は、蓋体１１にインサート成形されていることとした。しかし、正極外部端子２０及び負極外部端子３０の少なくとも一方が、外装体本体１２にインサート成形されていてもかまわない。
【０２４２】
また、上記実施の形態及びその変形例では、正極外部端子２０及び負極外部端子３０は、第二インサート部２４及び３４を有していることにした。しかし、正極外部端子２０及び負極外部端子３０の少なくとも一方が、第二インサート部を有していない構成でもかまわない。
【０２４３】
また、上記実施の形態及びその変形例では、ヒューズ４０は負極外部端子３０に設けられていたが、正極外部端子２０及び負極外部端子３０ともに、ヒューズ４０が設けられていない構成でもかまわない。この場合、正極外部端子２０及び負極外部端子３０ともに、一体に形成されるのが好ましい。
【０２４４】
また、上記実施の形態及びその変形例では、正極外部端子２０の端子接続部２２は、蓄電素子１０１の正極端子１２０と直接接続されることとした。しかし、端子接続部２２と正極端子１２０とは、リード線やワイヤ線等を介して接続されてもよい。つまり、端子接続部２２は、蓋体１１の内表面から露出した構成であればよい。このように、端子接続部２２と正極端子１２０とがリード線等で接続される場合には、開口部１１ａ及び閉止板１１ｃを設ける必要がない。つまり、事前にハンダなどでリード線等と正極端子１２０とを接続（固定）しておき、蓋体１１を外装体本体１２に被せて熱溶着すればよい。なお、負極側についても同様に、端子接続部３２と負極端子１３０とがリード線やワイヤ線等を介して接続されていてもよく、この場合、開口部１１ｂ及び閉止板１１ｄを設ける必要がない。
【０２４５】
また、上記実施の形態及びその変形例を任意に組み合わせて構築される形態も、本発明の範囲内に含まれる。また、上記実施の形態及びその変形例の部分的な構成を、適宜組み合わせてなる構成であってもよい。
【産業上の利用可能性】
【０２４６】
本発明は、オートバイのエンジン始動用のバッテリーなどの、小型の原動機付装置に搭載される蓄電装置等に適用できる。
【符号の説明】
【０２４７】
１  蓄電装置
１０  外装体
１０Ａ  凹部
１１  蓋体
１１ａ、１１ｂ  開口部
１１ｃ、１１ｄ  閉止板
１１ｅ  第一上面部
１１ｆ  第二上面部
１１ｇ  爪部
１２  外装体本体
１３  蓋部
１３ａ  ネジ
２０、２０ａ、２０ｂ  正極外部端子
２１、２６、３１  外部接続部
２１ａ  第一接続部
２１ｂ  第二接続部
２１ｃ、２１ｄ、２２ａ、３２ａ、５１ｄ、１２２ａ、１３１ｂ、１３３ｂ  貫通孔
２１ｅ  第三接続部
２２、３２  端子接続部
２３、３３  第一インサート部
２４、３４  第二インサート部
２５  係合部
３０  負極外部端子
３２ｂ、３３ａ  端部
４０  ヒューズ（回路遮断部）
５０、１３１〜１３４  バスバー
５１  回り止め付端子
５１ａ  端子本体部
５１ｂ、５１ｃ  突出部
５２  ボルト
５３  ナット
６０  締結部
１００、１０１〜１０４  蓄電素子
１１０  容器
１１０ａ  深底凹部
１１０ｂ、１１０ｃ  浅底凹部
１２０  正極端子
１２０ａ  第一ボルト部
１２０ｂ  第一ナット部
１２０ｃ  端子位置調整部材
１２０ｄ  第二ボルト部
１２０ｅ  第二ナット部
１２１  ヒューズ本体部
１２２  ヒューズ接続部
１３０  負極端子
１３１Ａ、１３１Ｂ、１３２Ａ、１３３Ｂ  露出部
１３１Ｃ  接続板部
【図１】
2016199558.tif 000003
【図２】
2016199558.tif 000004
【図３】
2016199558.tif 000005
【図４】
2016199558.tif 000006
【図５】
2016199558.tif 000007
【図６】
2016199558.tif 000008
【図７】
2016199558.tif 000009
【図８】
2016199558.tif 000010
【図９】
2016199558.tif 000011
【図１０】
2016199558.tif 000012
【図１１】
2016199558.tif 000013
【図１２】
2016199558.tif 000014
【図１３】
2016199558.tif 000015
【図１４】
2016199558.tif 000016
【図１５】
2016199558.tif 000017
【国際調査報告】
2016199558.tif 000018
2016199558.tif 000019
2016199558.tif 000020
2016199558.tif 000021